(57)【特許請求の範囲】
【請求項１】
被筆記体に設けた記録端末に、前記被筆記体への筆記内容に対応したデータ入力を行うための電子筆記具であって、
前記記録端末に対し、当該電子筆記具の位置検出用の筆記信号を生成して送信する信号送信手段と、
前記被筆記体へ所定の態様で文字を記載する場合に対応した第１モードと、前記第１モードとは異なる態様であって、前記被筆記体に文字以外の記号の記載を行う場合に対応した第２モードとを、切り替え可能な操作手段と、
前記操作手段による前記第１モードと前記第２モードとのモード切替状態を判定する切替判定手段と、
前記切替判定手段により前記第１モードへの切替状態であると判定された場合には、前記記録端末に対し前記第１モードに対応する第１筆記信号を第１送信レベルパラメータとして、所定の間隔で送信するか、若しくは、所定の出力で送信し、前記切替判定手段により前記第２モードへの切替状態であると判定された場合には、前記記録端末に対し前記第１筆記信号とは異なる送信レベルパラメータであって、前記第２モードに対応する第２筆記信号を第２送信レベルパラメータとして、前記第１モードにおける前記第１筆記信号の送信間隔より長い間隔で送信するか、若しくは、前記第１モードにおける前記第１筆記信号の送信出力より低い出力で送信するように、前記信号送信手段を制御する、送信制御手段と、
を有する
ことを特徴とする電子筆記具。
【請求項２】
被筆記体に対する先端部の接触の変化を検出する接触検出手段を有し、
前記送信制御手段は、
前記接触検出手段により前記先端部の接触の変化が検出されたら当該検出されたタイミングで前記記録端末に対し前記筆記信号を送信するように、前記信号送信手段を制御する
ことを特徴とする請求項１記載の電子筆記具。
【請求項３】
前記第２モードとして、
前記被筆記体への記載内容に応じた複数のモードを備えており、
前記操作手段は、
前記第２モードに含まれる前記複数のモードのいずれかを選択可能であり、
前記切替判定手段は、
前記操作手段による前記モードの選択状態を判定可能であり、
前記送信制御手段は、
前記操作手段により前記複数のモードのうちいずれが選択されたかに応じて、送信間隔を変化させるよう、前記信号送信手段を制御する
ことを特徴とする請求項１又は請求項２記載の電子筆記具。
【請求項４】
被筆記体に設けた記録端末と、
前記記録端末に対し、前記被筆記体への筆記内容に対応したデータ入力を行うための電子筆記具と、
を有する電子筆記システムであって、
前記電子筆記具は、
前記記録端末に対し、当該電子筆記具の位置検出用の筆記信号を生成して送信する信号送信手段と、
前記被筆記体へ所定の態様で文字を記載する場合に対応した第１モードと、前記第１モードとは異なる態様であって、前記被筆記体に文字以外の記号の記載を行う場合に対応した第２モードとを、切り替え可能な操作手段と、
前記操作手段による前記第１モードと前記第２モードとのモード切替状態を判定する切替判定手段と、
前記切替判定手段により前記第１モードへの切替状態であると判定された場合には、前記記録端末に対し前記第１モードに対応する第１筆記信号を第１送信レベルパラメータとして、所定の間隔で送信するか、若しくは、所定の出力で送信し、前記切替判定手段により前記第２モードへの切替状態であると判定された場合には、前記記録端末に対し前記第１筆記信号とは異なる送信レベルパラメータであって、前記第２モードに対応する第２筆記信号を第２送信レベルパラメータとして、前記第１モードにおける前記第１筆記信号の送信間隔より長い間隔で送信するか、若しくは、前記第１モードにおける前記第１筆記信号の送信出力より低い出力で送信するように、前記信号送信手段を制御する、送信制御手段と、
を有し、
前記記録端末は、
前記信号送信手段から送信された前記筆記信号を受信可能な複数のコイルと、
前記複数のコイルでの前記筆記信号の受信結果に基づき、前記電子筆記具の位置情報に係わる所定の演算を行う演算手段と、
前記演算手段を、各コイルに対し所定の周期ごとに順次切り替えて接続するための切替接続手段と、
を有することを特徴とする電子筆記システム。
【請求項５】
前記記録端末の前記演算手段は、
前記複数のコイルでの前記筆記信号の受信結果に基づき、前記電子筆記具の位置情報を取得する位置取得手段と、
前記複数のコイルにより受信された前記筆記信号の周波数を検出する周波数検出手段と、
前記周波数検出手段により検出された周波数により、前記電子筆記具のモードを判定するモード判定手段と、
前記モード判定手段により前記電子筆記具が前記第１モードであると判定された場合に、前記複数のコイルでの前記第１筆記信号の受信に基づき前記位置取得手段で取得された複数の前記位置情報を用いて、前記電子筆記具が前記被筆記体に記載した文字列に対応した文字列データを生成する文字列データ生成手段と、
前記モード判定手段により前記電子筆記具が前記第２モードであると判定された場合に、前記複数のコイルでの前記第２筆記信号の受信に基づき前記位置取得手段で取得された少なくとも１つの前記位置情報を用いて、前記電子筆記具が前記被筆記体に記載した文字列以外のデータを生成する非文字列データ生成手段と、
を有することを特徴とする請求項４記載の電子筆記システム。
【請求項６】
前記電子筆記具の前記送信制御手段は、
前記切替判定手段により前記第１モードへの切替状態であると判定された場合には、前記第１筆記信号を連続的に送信し、前記切替判定手段により前記第２モードへの切替状態であると判定された場合には、前記第２筆記信号を間欠的に、かつ前記周期よりも長い送信時間で送信するように、前記信号送信手段を制御し、
前記記録端末の前記文字列データ生成手段は、
前記複数のコイルでの連続的な前記第１筆記信号の受信に基づき前記位置取得手段で連続的に取得された前記複数の前記位置情報を用いて、前記文字列データを生成し、
前記非文字列データ生成手段は、
前記複数のコイルでの間欠的な前記第２筆記信号の受信に基づき前記位置取得手段で離散的に取得された前記少なくとも１つの前記位置情報を用いて、前記文字列以外のデータを生成する
ことを特徴とする請求項５記載の電子筆記システム。
【請求項７】
前記非文字列データ生成手段は、
前記モード判定手段により前記電子筆記具が前記第２モードであると判定された場合に、前記位置取得手段で離散的に取得された前記少なくとも１つの前記位置情報を用いて、前記電子筆記具が前記被筆記体に記載した線分に対応した線分データを生成する線分データ生成手段を備えており、
前記演算手段は、
前記文字列データ生成手段で生成された前記文字列データのうち、前記線分データ生成手段により生成された前記線分データで表される、前記線分の所定の範囲に含まれる前記文字列に対応した文字列データを抽出する、文字列データ抽出手段
をさらに有することを特徴とする請求項６記載の電子筆記システム。
【発明の詳細な説明】
【技術分野】
【０００１】
本発明は、使用者の手書きによる筆記内容を電子的に入力可能な電子筆記具及び電子筆記システムに関する。
【背景技術】
【０００２】
従来、使用者の手書きによる筆記内容を電子的に入力可能な技術が、例えば特許文献１に開示されている。この従来技術のペン入力システムは、記録端末としてのタブレット、及び、電子筆記具としての電子ペン等から構成されている。
【０００３】
電子ペンは、タブレット上の任意の位置を指示するために用いられる。この電子ペンは、接触スイッチ、高周波源、機能切り替えスイッチ、周波数切り替え装置、送信装置等を内蔵している。タブレットは、電子ペンの先端がタブレットに接触した際に電信ペンが送信する電波を受信し、電子ペンが指示する位置の座標及び当該電波の周波数を検出する。このタブレットは、透明受信アンテナ及び表示装置から構成される。
【０００４】
ユーザは、電子ペンのペン先をタブレットの任意の位置に接触させ、電子ペンを動かす。タブレットとの接触により、接触スイッチがオンし、所定の周波数の高周波信号が高周波源より発生される。周波数切り替え装置は、機能切り替えスイッチからのスイッチ信号に応答して、高周波源からの高周波信号を分周し、スイッチ信号に対応する周波数の信号を送信装置に出力する。送信装置は、周波数切り替え装置から供給された信号をタブレットに対し無線送信する。電子ペンの送信装置から送信された信号は、タブレットの透明受信アンテナにより受信される。そして、その受信された信号の周波数に応じて、表示装置に表示される文字等の大きさ、色、消去等が設定される。
【先行技術文献】
【特許文献】
【０００５】
【特許文献１】特開平７−２００１３１号公報
【発明の概要】
【発明が解決しようとする課題】
【０００６】
電子筆記具や記録端末では、内蔵される電池等のエネルギ量が使用とともに減少するので、使用途中でエネルギが尽きてしまい、使用続行ができなくなるという課題がある。上記従来技術においては、電子ペンに備えられた複数の入力機能に応じて、送信電波の周波数を切り替えることができる。しかしながら、消費電力に係わる複数のモードを設け、各モードを使い分けることで、電子筆記具が消費する電力を低減することは考慮されていなかった。
【０００７】
本発明の目的は、電子筆記具が消費する電力を低減し、省エネルギを図ることができる電子筆記具及び電子筆記システムを提供することにある。
【課題を解決するための手段】
【０００８】
上記目的を達成するために、第１の発明は、被筆記体に設けた記録端末に、前記被筆記体への筆記内容に対応したデータ入力を行うための電子筆記具であって、前記記録端末に対し、当該電子筆記具の位置検出用の筆記信号を生成して送信する信号送信手段と、前記被筆記体へ所定の態様で文字を記載する場合に対応した第１モードと、前記第１モードとは異なる態様であって、前記被筆記体に文字以外の記号の記載を行う場合に対応した第２モードとを、切り替え可能な操作手段と、前記操作手段による前記第１モードと前記第２モードとのモード切替状態を判定する切替判定手段と、前記切替判定手段により前記第１モードへの切替状態であると判定された場合には、前記記録端末に対し前記第１モードに対応する第１筆記信号を第１送信レベルパラメータとして、所定の間隔で送信するか、若しくは、所定の出力で送信し、前記切替判定手段により前記第２モードへの切替状態であると判定された場合には、前記記録端末に対し前記第１筆記信号とは異なる送信レベルパラメータであって、前記第２モードに対応する第２筆記信号を第２送信レベルパラメータとして、前記第１モードにおける前記第１筆記信号の送信間隔より長い間隔で送信するか、若しくは、前記第１モードにおける前記第１筆記信号の送信出力より低い出力で送信するように、前記信号送信手段を制御する、送信制御手段と、を有することを特徴とする。
【０００９】
本願第１発明の電子筆記具においては、第１モードと、第２モードとを備えている。使用者が被筆記体へ所定の態様で文字を記載する場合には、使用者は操作手段を用いて第１モードに切り替える。この第１モードへの切替状態が切替判定手段によって判定され、送信制御手段の制御に基づき、信号送信手段が位置検出用の第１筆記信号を、第１送信レベルパラメータとして送信する。被筆記体に設けた記録端末は、上記第１送信レベルパラメータで送信される第１筆記信号によって電子筆記具の位置を検出し、被筆記体への記載内容を認識する。
【００１０】
一方、使用者が被筆記体に対し上記第１筆記信号とは異なる態様であって、文字以外の記号の記載を行う場合には、使用者は操作手段を用いて第２モードに切り替える。この第２モードへの切替状態が切替判定手段によって判定され、送信制御手段の制御に基づき、信号送信手段が、上記第１筆記信号とは異なる送信レベルパラメータであって、上記第２モードに対応する位置検出用の第２筆記信号を第２送信レベルパラメータとして送信する。被筆記体に設けた記録端末は、上記第２送信レベルパラメータで送信される第２筆記信号によって電子筆記具の位置を検出し、被筆記体への記載内容を認識する。
【００１１】
以上のように、本願第１発明においては、送信レベルパラメータの異なる２つのモードを使い分け、筆記信号の送信を行う。これにより、第２送信レベルパラメータを用いる第２モードでは、記号入力の際に電子筆記具が消費する電力を低減することが可能となる。この結果、省エネルギを図ることが可能となる。
【００１２】
また、第１の発明は、前記第１筆記信号を、前記第１送信レベルパラメータとして、所定の間隔で送信するか、若しくは、所定の出力で送信し、前記第２筆記信号を、前記第２送信レベルパラメータとして、前記第１モードにおける前記第１筆記信号の送信間隔より長い間隔で送信するか、若しくは、前記第１モードにおける前記第１筆記信号の送信出力より低い出力で送信するように、前記信号送信手段を制御する。
【００１３】
一般に、文字入力の機能と文字入力以外の機能とを備える電子筆記具では、文字入力の場合には、記録端末側での検出精度を低下させると、実用上問題を生じる可能性が高いが、文字以外の入力の場合には、文字入力の場合に比べて記録端末側での検出精度を低下させても実用上問題がない場合が多い。そこで、本願第２発明においては、電子筆記具が、被筆記体へ文字を記載する場合に対応した第１モードと、被筆記体に文字以外の記載を行う場合に対応した第２モードとを備えている。
【００１４】
使用者が被筆記体へ文字を記載する場合には、使用者は操作手段を用いて第１モードに切り替える。この第１モードでは、送信制御手段の制御に基づき、信号送信手段が第１筆記信号を、第１送信レベルパラメータとして、所定の間隔若しくは所定の出力で送信する。被筆記体に設けた記録端末は、上記所定の間隔若しくは所定の出力で送信される第１筆記信号によって電子筆記具の位置を検出し、電子筆記具の移動軌跡により使用者が被筆記体に記載した文字を認識する。
【００１５】
一方、使用者が被筆記体に対し文字以外の記載を行う場合には、使用者は操作手段を用いて第２モードに切り替える。この第２モードでは、送信制御手段の制御に基づき、信号送信手段が上記第１筆記信号とは異なる態様の第２筆記信号を、第２送信レベルパラメータとして、上記第１モードにおける第１筆記信号の送信間隔より長い間隔、若しくは、上記第１モードにおける第１筆記信号の送信出力より低い出力で送信する。被筆記体に設けた記録端末は、上記第１モードにおける第１筆記信号の送信間隔より長い間隔、若しくは、上記第１モードにおける第１筆記信号の送信出力より低い出力で送信される第２筆記信号によって電子筆記具の位置を、上記第１モードよりも長い間隔、若しくは、上記第１モードよりも低い出力で検出し、被筆記体への記載内容を認識する。
【００１６】
以上のように、本願第１発明においては、第２モードでは、第２筆記信号の送信を、上記第１モードにおける第１筆記信号の送信間隔より時間的に間引いて行うか、若しくは、上記第１モードにおける第１筆記信号の送信出力より出力を落として行う。これにより、文字入力の際の記録端末側における文字の認識精度を落とすことなく、文字以外の入力の際に電子筆記具が消費する電力を低減し、省エネルギを図ることができる。
【００１７】
第２の発明は、上記第１発明において、被筆記体に対する先端部の接触の変化を検出する接触検出手段を有し、前記送信制御手段は、前記接触検出手段により前記先端部の接触の変化が検出されたら当該検出されたタイミングで前記記録端末に対し前記筆記信号を送信するように、前記信号送信手段を制御することを特徴とする。
【００１８】
これにより、被筆記体への記載に対応した筆記信号を確実に記録端末に送信することができるので、記録端末は、漏れのない確実な検出を行うことができる。
【００１９】
第３の発明は、上記第１又は第２発明において、前記第２モードとして、前記被筆記体への記載内容に応じた複数のモードを備えており、前記操作手段は、前記第２モードに含まれる前記複数のモードのいずれかを選択可能であり、前記切替判定手段は、前記操作手段による前記モードの選択状態を判定可能であり、前記送信制御手段は、前記操作手段により前記複数のモードのうちいずれが選択されたかに応じて、送信間隔を変化させるよう、前記信号送信手段を制御することを特徴とする。
【００２０】
これにより、使用者が第２モードを選択して文字以外の記載が行われる場合に、用途に応じてきめの細かい送信制御を行い、電子筆記具の消費電力の低減を図ることが可能となる。この結果、さらに確実に省エネルギを図ることができる。
【００２１】
上記目的を達成するために、第４の発明は、被筆記体に設けた記録端末と、前記記録端末に対し、前記被筆記体への筆記内容に対応したデータ入力を行うための電子筆記具と、を有する電子筆記システムであって、前記電子筆記具は、前記記録端末に対し、当該電子筆記具の位置検出用の筆記信号を生成して送信する信号送信手段と、前記被筆記体へ所定の態様で文字を記載する場合に対応した第１モードと、前記第１モードとは異なる態様であって、前記被筆記体に文字以外の記号の記載を行う場合に対応した第２モードとを、切り替え可能な操作手段と、前記操作手段による前記第１モードと前記第２モードとのモード切替状態を判定する切替判定手段と、前記切替判定手段により前記第１モードへの切替状態であると判定された場合には、前記記録端末に対し前記第１モードに対応する第１筆記信号を第１送信レベルパラメータとして、所定の間隔で送信するか、若しくは、所定の出力で送信し、前記切替判定手段により前記第２モードへの切替状態であると判定された場合には、前記記録端末に対し前記第１筆記信号とは異なる送信レベルパラメータであって、前記第２モードに対応する第２筆記信号を第２送信レベルパラメータとして、前記第１モードにおける前記第１筆記信号の送信間隔より長い間隔で送信するか、若しくは、前記第１モードにおける前記第１筆記信号の送信出力より低い出力で送信するように、前記信号送信手段を制御する、送信制御手段と、を有し、前記記録端末は、前記信号送信手段から送信された前記筆記信号を受信可能な複数のコイルと、前記複数のコイルでの前記筆記信号の受信結果に基づき、前記電子筆記具の位置情報に係わる所定の演算を行う演算手段と、前記演算手段を、各コイルに対し所定の周期ごとに順次切り替えて接続するための切替接続手段と、を有することを特徴とする。
【００２２】
本願第４発明の電子筆記システムは、記録端末と電子筆記具とを有している。電子筆記具には、第１モードと、第２モードとが備えられている。
使用者が被筆記体へ所定の態様で文字を記載する場合には、使用者は電子筆記具の操作手段を用いて第１モードに切り替える。この第１モードへの切替状態が電子筆記具の切替判定手段によって判定され、送信制御手段の制御に基づき、信号送信手段が位置検出用の第１筆記信号を記録端末へ、第１送信レベルパラメータとして送信する。被筆記体に設けた記録端末は、複数のコイルと、切替接続手段と、演算手段とを備えている。上記第１送信レベルパラメータで送信される第１筆記信号は複数のコイルで受信され、その際、切替接続手段が所定の周期ごとに演算手段を各コイルに順次切り替えて接続することによって上記第１筆記信号が演算手段で取得される。これにより、記録端末は電子筆記具の位置を検出し、被筆記体への記載内容を認識する。
【００２３】
一方、使用者が被筆記体に対し上記第１筆記信号とは異なる態様であって、文字以外の記号の記載を行う場合には、使用者は電子筆記具の操作手段を用いて第２モードに切り替える。この第２モードへの切替状態が電子筆記具の切替判定手段によって判定され、送信制御手段の制御に基づき、信号送信手段信号送信手段が、上記第１筆記信号とは異なる送信レベルパラメータであって、上記第２モードに対応する位置検出用の第２筆記信号を第２送信レベルパラメータとして送信する。被筆記体に設けた記録端末は、上記同様、上記第２送信レベルパラメータで送信される第２筆記信号を複数のコイルで受信し、被筆記体への記載内容を認識する。
【００２４】
以上のように、本願第４発明においては、電子筆記具が、送信レベルパラメータの異なる２つのモードを使い分け、筆記信号の送信を行う。これにより、第２送信レベルパラメータを用いる第２モードでは、記号入力の際に電子筆記具が消費する電力を低減することが可能となる。この結果、省エネルギを図ることが可能となる。
【００２５】
第５の発明は、上記第４発明において、前記記録端末の前記演算手段は、前記複数のコイルでの前記筆記信号の受信結果に基づき、前記電子筆記具の位置情報を取得する位置取得手段と、前記複数のコイルにより受信された前記筆記信号の周波数を検出する周波数検出手段と、前記周波数検出手段により検出された周波数により、前記電子筆記具のモードを判定するモード判定手段と、前記モード判定手段により前記電子筆記具が前記第１モードであると判定された場合に、前記複数のコイルでの前記第１筆記信号の受信に基づき前記位置取得手段で取得された複数の前記位置情報を用いて、前記電子筆記具が前記被筆記体に記載した文字列に対応した文字列データを生成する文字列データ生成手段と、前記モード判定手段により前記電子筆記具が前記第２モードであると判定された場合に、前記複数のコイルでの前記第２筆記信号の受信に基づき前記位置取得手段で取得された少なくとも１つの前記位置情報を用いて、前記電子筆記具が前記被筆記体に記載した文字列以外のデータを生成する非文字列データ生成手段と、を有することを特徴とする。
【００２６】
本願第５発明においては、使用者が被筆記体へ文字を記載する場合には、使用者は電子筆記具の操作手段を用いて第１モードに切り替える。この第１モードでは、送信制御手段の制御に基づき、信号送信手段が第１筆記信号を記録端末へ、第１送信レベルパラメータとして、所定の間隔若しくは所定の出力で送信する。上記所定の間隔若しくは所定の出力で送信される第１筆記信号は記録端末の複数のコイルで受信される。そして、その受信された第１筆記信号の周波数が周波数検出手段により検出され、モード判定手段によって第１モードであると判定される。この場合、使用者の筆記動作により記録端末の位置取得手段で電子筆記具の複数の位置情報が取得される。そして、当該複数の位置情報に基づき、文字列データ生成手段が、被筆記体に記載された文字列に対応した文字列データを生成する。これにより、記録端末は、使用者が被筆記体に記載した文字を認識することができる。
【００２７】
一方、使用者が被筆記体に対し文字以外の記載を行う場合には、使用者は電子筆記具の操作手段を用いて第２モードに切り替える。この第２モードでは、送信制御手段の制御に基づき、信号送信手段が上記第１筆記信号とは異なる態様の第２筆記信号を記録端末へ、第２送信レベルパラメータとして、上記第１モードにおける第１筆記信号の送信間隔より長い間隔、若しくは、上記第１モードにおける第１筆記信号の送信出力より低い出力で送信する。被筆記体に設けた記録端末は、上記同様、上記第１モードにおける第１筆記信号の送信間隔より長い間隔、若しくは、上記第１モードにおける第１筆記信号の送信出力より低い出力で送信される第２筆記信号を複数のコイルで受信する。そして、その受信した第２筆記信号の周波数が周波数検出手段により検出され、モード判定手段によって第２モードであると判定される。この場合、使用者の筆記動作により記録端末の位置取得手段で電子筆記具の少なくとも１つの位置情報が取得される。そして、当該少なくとも１つの位置情報に基づき、非文字列データ生成手段が、被筆記体に記載された文字列以外に対応した文字列以外のデータを生成する。これにより、記録端末は、被筆記体への記載内容を認識することができる。
【００２８】
以上のように、本願第５発明においては、電子筆記具は、第２モードでは、第２筆記信号の送信を、上記第１モードにおける第１筆記信号の送信間隔より時間的に間引いて行うか、若しくは、上記第１モードにおける第１筆記信号の送信出力より出力を落として行う。これにより、文字入力の際の記録端末側における文字の認識精度を落とすことなく、文字以外の入力の際に電子筆記具が消費する電力を低減し、省エネルギを図ることができる。
【００２９】
第６の発明は、上記第５発明において、前記電子筆記具の前記送信制御手段は、前記切替判定手段により前記第１モードへの切替状態であると判定された場合には、前記第１筆記信号を連続的に送信し、前記切替判定手段により前記第２モードへの切替状態であると判定された場合には、前記第２筆記信号を間欠的に、かつ前記周期よりも長い送信時間で送信するように、前記信号送信手段を制御し、前記記録端末の前記文字列データ生成手段は、前記複数のコイルでの連続的な前記第１筆記信号の受信に基づき前記位置取得手段で連続的に取得された前記複数の前記位置情報を用いて、前記文字列データを生成し、前記非文字列データ生成手段は、前記複数のコイルでの間欠的な前記第２筆記信号の受信に基づき前記位置取得手段で離散的に取得された前記少なくとも１つの前記位置情報を用いて、前記文字列以外のデータを生成することを特徴とする。
【００３０】
本願第６発明においては、使用者が電子筆記具において第１モードを選択して文字入力を行うと、送信制御手段の制御に基づき、信号送信手段が第１筆記信号を連続的に送信する。これにより、記録端末の位置取得手段で電子筆記具の複数の位置情報が連続的に取得され、当該複数の位置情報に基づき、文字列データ生成手段が文字列データを生成する。
【００３１】
一方、使用者が電子筆記具において第２モードを選択して文字以外の入力を行うと、送信制御手段の制御に基づき、信号送信手段が第２筆記信号を時間的に間引いて間欠的に送信する。これにより、記録端末の位置取得手段で電子筆記具の少なくとも１つの位置情報が離散的に取得され、当該少なくとも１つの位置情報に基づき、非文字列データ生成手段が文字列以外のデータを生成する。このとき特に、本願第７発明においては、電子筆記具の信号送信手段は、第２筆記信号を、記録端末において上記演算手段を各コイルに切り替えて接続する周期よりも長い送信時間で送信する。これにより、電子筆記具が第２筆記信号を送信している間において、当該第２筆記信号を受信している記録端末のコイルが少なくとも１回演算手段に接続されるので、第２筆記信号が確実に演算手段で取得される。
【００３２】
第７の発明は、上記第６発明において、前記非文字列データ生成手段は、前記モード判定手段により前記電子筆記具が前記第２モードであると判定された場合に、前記位置取得手段で離散的に取得された前記少なくとも１つの前記位置情報を用いて、前記電子筆記具が前記被筆記体に記載した線分に対応した線分データを生成する線分データ生成手段を備えており、前記演算手段は、前記文字列データ生成手段で生成された前記文字列データのうち、前記線分データ生成手段により生成された前記線分データで表される、前記線分の所定の範囲に含まれる前記文字列に対応した文字列データを抽出する、文字列データ抽出手段をさらに有することを特徴とする。
【００３３】
本願第７発明においては、使用者が電子筆記具において第２モードを選択して文字以外の入力を行うことで、記録端末の位置取得手段で離散的に取得される電子筆記具の少なくとも１つの位置情報に基づき、記録端末の線分データ生成手段が、被筆記体に記載された線分に対応した線分データを生成する。そして、このようにして、使用者の第２モードの選択に対応して線分データが生成されると、記録端末の文字列データ抽出手段が、当該線分の所定の範囲に含まれる文字列に対応した文字列データを抽出する。
【００３４】
これにより、使用者は、第１モードを選択して被筆記体に文字を記載した後、第２モードを選択してその記載した文字の近傍に線分を記載することで、当該文字に対応した文字列データがキーワードとして抽出される。したがって、このキーワードを、文字列データを含むファイルの管理タグとして用いることが可能となる。この結果、使用者の意図に沿った適切なキーワード抽出を行うことができ、高い利便性を得ることができる。
【発明の効果】
【００３５】
本発明によれば、電子筆記具が消費する電力を低減し、省エネルギを図ることができる。
【図面の簡単な説明】
【００３６】
【図１】本発明の一実施の形態の電子筆記システムの外観を表す斜視図である。
【図２】電子ペン及び記録端末の機能的構成を表すブロック図である。
【図３】色切替スイッチによるモード切替状態、及び、先端スイッチの状態に応じて、ＬＣ発振回路によって発生される磁界の周波数を説明する表である。
【図４】記録端末が備えるコイルシートに含まれるセンスコイルコイルと接近検出コイルとを表す説明図である。
【図５】文字入力モードである場合の磁界発生を説明する説明図である。
【図６】キーワード設定モード又はチェック・マークモードである場合の磁界発生を説明する説明図である。
【図７】キーワード設定モードである場合の磁界発生のタイミングを説明する説明図である。
【図８】記録端末でのキーワードの抽出手法の詳細を説明する説明図である。
【図９】記録端末でのキーワードの抽出手法の詳細を説明する説明図である。
【図１０】チェック・マークモードに切り替えられた電子ペンから発生される磁界の発生タイミングを説明する説明図である。
【図１１】電子ペンのマイコンのＣＰＵによって行われる制御処理の内容を表すフローチャートである。
【図１２】記録端末のマイコンのＣＰＵによって行われる制御処理の内容を表すフローチャートである。
【図１３】（ａ）は、Ｘ軸方向のセンスコイルの一部を示す説明図である。（ｂ）は、図４（ａ）に示すセンスコイルに発生する電圧とＸ軸方向の距離との関係を示すグラフである。（ｃ）は、図４（ａ）に示すセンスコイルの相互に隣接するセンスコイル間の電圧差を示すグラフである。
【図１４】（ａ）は、位置座標テーブルをグラフ化して示す説明図である。（ｂ）は、位置座標テーブルの説明図である。
【図１５】キーワードの抽出手法の機能を実現するために、記録端末のマイコンのＣＰＵによって行われる制御処理の内容を表すフローチャートである。
【図１６】筆記面上で選択されたチェックボックスを選択する機能を実現するために、記録端末のマイコンのＣＰＵによって行われる制御処理の内容を表すフローチャートである。
【発明を実施するための形態】
【００３７】
以下、本発明の一実施の形態を図面を参照しつつ説明する。
【００３８】
本実施形態の電子筆記システム１は、図１に示すように、電子筆記具としての電子ペン２と、記録端末３とを有する。電子筆記システム１では、使用者が電子ペン２を持つ。電子ペン２は、被筆記体としてのノート３０に設けられた記録端末３に対し、当該ノート３０への筆記内容に対応したデータ入力を行うための入力器である。
【００３９】
記録端末３は、この例では左右見開き形状に構成されたシート体１０を備えている。シート体１０は、左側コイルシート１００Ｌ（後述）を備えた左側シート部１０Ｌと、右側コイルシート１００Ｒ（後述）を備えた右側シート部１０Ｒと、使用者により折り曲げ可能な中間シート部１０Ｍとを有する。
【００４０】
また、シート体１０には、左右見開き形状のノート３０が重なるように配置される。なお、左側コイルシート部１０Ｌ及び右側シート部１０Ｒに、図１に示すようなノート保持部１１をそれぞれ設けてもよい。これにより、記録端末３を容易かつ確実にノート３０と一体化することができ、使用者による取り扱い性を向上することができる。
【００４１】
使用者は、電子ペン２を用いてノート３０の筆記面３１に手書きの所望の文字列等を筆記する。この筆記動作に対応した電子ペン２の移動により、筆記面３１に対し筆記された文字列等に対応した電子的な文字列データ等、すなわち後述のペン位置データ列に基づくストロークデータが、電子ファイルに保存される。その際、実際にインクを用いてノート３０の筆記面３１にページを切り替えながら記載が行われるのと同様、電子ファイルのページも切り替えながら保存することができる（後述）。
【００４２】
使用者が、電子筆記システム１を使用する際には、電子ペン２に備えられた図示しない電源スイッチがオンされる。電子ペン２には、ノート３０の筆記面３１へ所定の態様で記載する場合に対応した第１モードとして、文字入力モードが備えられている。この文字入力モードは、筆記面３１へ所定の態様で文字を記載する場合に対応したモードである。また、電子ペン２には、筆記面３１に上記第１モードとは異なる態様であって、記号の記載を行う場合に対応した第２モードとして、筆記面３１への記載内容に応じた２つキーワード設定モード及びチェック・マークモードが備えられている。これらキーワード設定モード及びチェック・マークモードは、筆記面３１に記号に含まれる文字以外の記載を行う場合に対応したモードである。
【００４３】
電子ペン２は、図２に示すように、操作手段としてのモード切替スイッチ４４と、ＬＣ発振回路４１ａ，４１ｂ，４１ｃ，４１ｄと、先端スイッチ４２と、電池４３と、コンピュータ、例えばマイコン４０と、を有する。
【００４４】
モード切替スイッチ４４は、電子ペン２に備えられた上記３つのモード、すなわち、文字入力モード、キーワード設定モード、及び、チェック・マークモードを切り替えるための、言い換えれば、上記３つのモードのいずれかを選択するためのスイッチである。すなわち、モード切替スイッチ４４が操作されることにより、電子ペン２のモードが切り替わるようになっている。なお、モード切替スイッチ４４が操作されることにより、電子ペン２の先端部２ａが切り替わって、筆記面３１に記載される色すなわちインクの色や、電子ファイル上に記載される色についても切り替わるようにしてもよい。例えば、文字入力モードに切り替えられると、筆記面３１及び電子ファイル上に記載される色が黒色に切り替えられ、キーワード設定モードやチェック・マークモードに切り替えられると、筆記面３１及び電子ファイル上に記載される色が赤色に切り替えられるようにしてもよい。
【００４５】
ＬＣ発振回路４１ａ〜４１ｄは、それぞれ、記録端末３に対し、電子ペン２の位置検出用の筆記信号として交番磁界（以下適宜、単に「磁界」と称する）を送信すなわち発生する回路である。すなわち、ＬＣ発振回路４１ａ〜４１ｄは、筆記信号を生成して送信する信号送信手段として機能する。ＬＣ発振回路４１ａ〜４１ｄは、それぞれ、図示しないコンデンサやコイルを含む。また、これらＬＣ発振回路４１ａ〜４１ｄは、互いに異なる態様の磁界、この例では互いに異なる周波数の磁界を、発生可能に構成されている。互いに異なる変調周波数、変調信号波形、振幅等の磁界を、発生可能に構成されていてもよい。
【００４６】
具体的には、ＬＣ発振回路４１ａは、特定の周波数ｆ１による磁界を発生する。ＬＣ発振回路４１ｂは、特定の周波数ｆ２による磁界を発生する。ＬＣ発振回路４１ｃは、特定の周波数ｆ３による磁界を発生する。ＬＣ発振回路４１ｄは、特定の周波数ｆ４による磁界を発生する。以下適宜、これらＬＣ発振回路４１ａ〜４１ｄを区別なく指す場合には、単に「ＬＣ発振回路４１」と称する。
【００４７】
なお、上記特定の周波数ｆ１による磁界、及び、上記特定の周波数ｆ２による磁界が、第１筆記信号に相当する。上記特定の周波数ｆ３による磁界、及び、上記特定の周波数ｆ４による磁界が、第２筆記信号に相当する。
【００４８】
先端スイッチ４２は、ＬＣ発振回路４１から発生される磁界の態様すなわち周波数を変更するための指令信号Ｓ０を、マイコン４０に対して出力するスイッチである。例えば、使用者が、電子ペン２を用いて、文字等を記載するために電子ペン２の先端部２ａを筆記面３１に押しつけたとき、先端スイッチ４２がオンとなる。これにより、指令信号Ｓ０が出力されて、発生される磁界の周波数は、周波数ｆ２又はｆ４となる。なお、先端スイッチ４２がオンの場合に、発生される磁界の周波数ｆ２，ｆ４を、以下適宜、「入力周波数ｆ２，ｆ４」という。また、使用者が、文字等の記載を止め、電子ペン２の先端部２ａを筆記面３１から離したとき、先端スイッチ４２はオフとなる。この場合、指令信号Ｓ０は出力されず、発生される磁界の周波数は、変更前の周波数ｆ１又はｆ３に戻る。なお、先端スイッチ４２がオフの場合に、発生される磁界の周波数ｆ１，ｆ３を、以下適宜、「接近周波数ｆ１，ｆ３」という。
【００４９】
電池４３は、マイコン４０に電力を供給する。また電池４３は、電源スイッチがオンにされることで、マイコン４０に電力を供給する。
【００５０】
マイコン４０は、ＣＰＵ４０ａと、ＲＯＭ４０ｂと、ＲＡＭ４０ｃと、カウンタ４０ｄと、タイマー４０ｅと、その他の機能部等とを、一つの集積回路として構成したものである。マイコン４０は、電子ペン２で実行される各種の処理を制御する。なお、このマイコン４０は、各請求項記載の送信制御手段として機能する。
【００５１】
例えば、マイコン４０は、モード切替スイッチ４４によるモード切替状態、言い換えれば、モード切替スイッチ４４によるモード選択状態を判定する。そして、モード切替スイッチ４４によるモード切替状態、及び、先端スイッチ４２の状態に応じて、発生する磁界の周波数を切り替えるように、ＬＣ発振回路４１を制御する。つまり、モード切替スイッチ４４によるモード切替状態、及び、先端スイッチ４２の状態に応じて、ＬＣ発振回路４１ａ〜４１ｄのうち、いずれのＬＣ発振回路４１から磁界を発生させるかを切り替える。
【００５２】
具体的には、図３に示すように、文字入力モードへの切替状態であると判定し、かつ先端スイッチ４２がオフである場合には、マイコン４０は、記録端末３に対し、ＬＣ発振回路４１ａによって接近周波数ｆ１の磁界を発生させる。文字入力モードへの切替状態であると判定し、かつ先端スイッチ４２がオンである場合には、マイコン４０は、記録端末３に対し、ＬＣ発振回路４１ｂによって入力周波数ｆ２の磁界を発生させる。キーワード設定モード又はチェック・マークモードへの切替状態であると判定し、かつ先端スイッチ４２がオフである場合には、マイコン４０は、記録端末３に対し、ＬＣ発振回路４１ｃによって接近周波数ｆ３の磁界を発生させる。キーワード設定モード又はチェック・マークモードへの切替状態であると判定し、かつ先端スイッチ４２がオンである場合には、マイコン４０は、記録端末３に対し、ＬＣ発振回路４１ｄによって入力周波数ｆ４の磁界を発生させる。
【００５３】
また、マイコン４０は、文字入力モードへの切替状態であると判定した場合には、記録端末３に対し、周波数ｆ１又はｆ２による磁界を、所定の間隔として、実質的に無視できるほど短い間隔すなわち略０の間隔で連続的に送信すなわち発生するように、ＬＣ発振回路４１を制御する。なお、周波数ｆ１又はｆ２による磁界を、所定の出力で発生するように、ＬＣ発振回路４１を制御してもよい。また、マイコン４０は、キーワード設定モード又はチェック・マークモードへの切替状態であると判定した場合には、記録端末３に対し、周波数ｆ３又はｆ４による磁界を、上記文字入力モードにおける周波数ｆ１又はｆ２による磁界の送信間隔すなわち発生間隔より長い間隔で間欠的に発生するように、ＬＣ発振回路４１を制御する。なお、周波数ｆ３又はｆ４による磁界を、上記文字入力モードにおける周波数ｆ１又はｆ２による磁界の送信出力すなわち発生出力より低い出力で発生するように、ＬＣ発振回路４１を制御してもよい。
【００５４】
なお、ＬＣ発振回路４１が記録端末３に対し磁界を発生する、間隔若しくは出力のそのものが、各請求項記載の送信レベルパラメータに相当する。よって、ＬＣ発振回路４１ａ又は４１ｂが記録端末３に対し周波数ｆ１又はｆ２の磁界を発生する、所定の間隔若しくは所定の出力のそのものが、文字入力モードに対応する第１送信レベルパラメータに相当する。また、ＬＣ発振回路４１ｃ又は４１ｄが記録端末３に対し周波数ｆ３又はｆ４の磁界を発生する、上記文字入力モードにおける磁界の発生間隔より長い間隔、若しくは、上記文字入力モードにおける磁界の発生出力より低い出力、のそのものが、上記第１送信レベルパラメータとは異なる送信レベルパラメータであって、キーワード設定モード又はチェック・マークモードに対応する第２送信レベルパラメータに相当する。
【００５５】
またさらに、マイコン４０は、モード切替スイッチ４４によりキーワード設定モード及びチェック・マークモードのうちいずれが選択されたかに応じて、磁界の発生間隔を変化させるように、ＬＣ発振回路４１を制御する（詳細は後述）。
【００５６】
記録端末３は、図２に示すように、制御回路部２０と、電池２１とを有する。制御回路部２０は、コイルシート１００Ｌ，１００Ｒと、接近検出回路５０と、位置検出回路６０と、周辺回路７０と、コンピュータ、例えばマイコン８０と、スイッチ部９０とを備える。マイコン８０と、接近検出回路５０、位置検出回路６０、周辺回路７０とは、信号ラインを介して伝送可能に接続されている。コイルシート１００Ｌ，１００Ｒと、接近検出回路５０及び位置検出回路６０とは、信号ラインを介して接続されている。接近検出回路５０、位置検出回路６０、及び周辺回路７０と電池２１とは、スイッチ部９０を介して電力ラインによって接続されている。
【００５７】
マイコン８０は、ＣＰＵ８０ａと、ＲＯＭ８０ｂと、ＲＡＭ８０ｃと、カウンタ８０ｄと、タイマー８０ｅと、その他のＡ／Ｄ変換機能部や割り込み機能部等とを、一つの集積回路として構成したものである。マイコン８０は、記録端末３で実行される各種の処理を制御し、接近検出回路５０、位置検出回路６０、及び周辺回路７０の動作状態を制御する。また、マイコン８０は、後述のセンスコイル部１１０のセンスコイルＸ１〜Ｘｍ，Ｙ１〜Ｙｎでの磁界の受信（後述）結果に基づき、電子ペン２の座標データに係わる所定の演算を行う（詳細は後述）。なお、このマイコン８０は、各請求項記載の演算手段として機能する。
【００５８】
例えば、マイコン８０は、スリープモードと、ノーマルモードとを切り替える。スリープモードは、接近検出回路５０からの信号により、低消費電力モードで記録端末３が待機状態となるモードである。ノーマルモードは、記録端末３が、電子ペン２により発生された磁界を検出し、後述の文字列データ等のストロークデータを保存する通常動作を行うモードである。マイコン８０からの信号により上記の各回路５０，６０，７０はスリープモードとノーマルモードとが切り替えられる。スリープモードは各回路５０，６０，７０が休止状態となり、電力が消費されない。また、マイコン８０自身もスリープモードでは電力消費が小さくなる。スリープモードでは後述するように、スリープモードにおいて接近検出回路５０からの接近信号Ｓ２４による割り込み処理が実行されると、ノーマルモードに切り替えられる。なお、ノーマルモードとスリープモードとの切り替えの詳細については後述する。
【００５９】
コイルシート１００Ｌ，１００Ｒは、図４に示すように、センスコイル部１１０と、接近検出コイル部１２０とを含む。すなわち、図４に示すように配置されたセンスコイル部１１０及び接近検出コイル部１２０が例えば外形が長方形の薄板状に樹脂成形されて、コイルシート１００Ｌ，１００Ｒが構成されている。なお、図４では、センスコイル部１１０が破線で示され、接近検出コイル部１２０が実線で示されている。
【００６０】
センスコイル部１１０は、図４に示すように、ｘ軸方向に配列されたｍ個のループ状のセンスコイルＸ１〜Ｘｍと、ｙ軸方向に配列されたｎ個のループ状のセンスコイルＹ１〜Ｙｎとによって構成されている。センスコイルＸ１〜Ｘｍと、センスコイルＹ１〜Ｙｎとは、直交した位置関係で配置されている。なお、これらセンスコイルＸ１〜Ｘｍ，Ｙ１〜Ｙｎは、それぞれ、各請求項記載のコイルとして機能する。また、センスコイルＸ１〜Ｘｍ，Ｙ１〜Ｙｎは、例えば表面に絶縁被膜層が形成された銅線によって形成されている。そして、センスコイルＸ１〜Ｘｍ，Ｙ１〜Ｙｎは、電子ペン２の先端スイッチ４２がオンの場合にＬＣ発振回路４１ｂ又は４１ｄから発生される入力周波数ｆ２又はｆ４の磁界との磁気誘導によって、電子ペン２から記録端末３にデータ入力するための信号Ｓ１（図２参照）を発生する。なお、電子ペン２のＬＣ発振回路４１から発生された磁界と磁気誘導することが、実質的には、電子ペン２のＬＣ発振回路４１から送信された筆記信号を受信することに相当する。さらに、センスコイルＸ１〜Ｘｍ，Ｙ１〜Ｙｎは、後述する位置検出回路６０のマルチプレクサ６２に接続されている。
【００６１】
センスコイルＸ１〜Ｘｍは、それぞれ、ｘ軸方向の幅Ｐ１の辺とＰ１より長いｙ軸方向の長さＰ２の辺とを備えた、略長方形状に形成されている。センスコイルＸ１〜Ｘｍのそれぞれは、所定の一定ピッチでｘ軸方向に連続して配列されている。例えば、隣接するセンスコイルＸ１〜Ｘｍは、Ｐ１の２分の１のピッチでそれぞれ重ねられている。
【００６２】
センスコイルＹ１〜Ｙｎは、それぞれ、ｘ軸方向の幅Ｐ３の辺とＰ３より短いｙ軸方向の長さＰ１の辺とを備えた、略長方形状に形成されている。センスコイルＹ１〜Ｙｎのそれぞれは、所定の一定ピッチでｙ軸方向に連続して配列されている。例えば、隣接するセンスコイルＹ１〜Ｙｎは、Ｐ１の２分の１のピッチでそれぞれ重ねられている。
【００６３】
なお、図４では、視覚的にわかりやすくするため、便宜上、センスコイルＸ１〜ＸｍとセンスコイルＹ１〜Ｙｎとの各辺が重ならないようにしており、上記ピッチで配列された状態では図示されていない。
【００６４】
接近検出コイル部１２０は、電子ペン２の先端スイッチ４２がオフの状態でＬＣ発振回路４１ａ又は４１ｃから発生された接近周波数ｆ１又はｆ３の磁界との磁気誘導によって、信号Ｓ２（図２参照）を発生する。図４に示すように、センスコイル部１１０とは異なり、接近検出コイル部１２０は、一つのループ状のコイルによって構成されている。
【００６５】
図２に戻り、接近検出回路５０は、上記接近検出コイル部１２０で発生する信号Ｓ２に基づき、電子ペン２が記録端末３に接近したことを検出する。接近検出回路５０は、図２に示すように、通過周波数がｆ１，ｆ３であるバンドパスフィルタ５２と、増幅回路５４と、整流回路５６と、持続検出回路５８とを備えている。
【００６６】
バンドパスフィルタ５２は、入力される上記信号Ｓ２に対して、不要な帯域を除去する。そしてバンドパスフィルタ５２は、電子ペン２の先端スイッチ４２がオフの場合にＬＣ発振回路４１ａ又は４１ｃから発生される接近周波数ｆ１又はｆ３の信号Ｓ２１を通過させる。
【００６７】
増幅回路５４は、バンドパスフィルタ５２を通過した信号Ｓ２１を増幅し、信号Ｓ２２とする。整流回路５６は、増幅回路５４で増幅された信号Ｓ２２の振幅検波を行う。
【００６８】
持続検出回路５８は、ノイズによる誤動作を防止し、接近周波数ｆ１，ｆ３成分を除去する。そのために、持続検出回路５８は、整流回路５６で振幅検波された信号Ｓ２３が所定の一定時間継続しているかを検出するとともに、その信号Ｓ２３の振幅が所定のしきい値を超えているか判定する。持続検出回路５８により、接近周波数ｆ１又はｆ３の信号Ｓ２３が一定時間継続し、かつ振幅が上記しきい値を超えたことが検出された場合には、解除信号Ｓ２４がマイコン８０に出力される。解除信号Ｓ２４は、待機状態すなわち上記スリープモードを解除するための信号である。したがって、電子ペン２が、コイルシート１００Ｌ，１００Ｒに近接した場合には、解除信号Ｓ２４が出力される。
【００６９】
位置検出回路６０は、電子ペン２が存在するコイルシート１００Ｌ，１００Ｒ上の位置を表す座標を検出する周知の回路である。この位置検出回路６０は、図２に示すように、マルチプレクサ６２（以下適宜、「ＭＵＸ６２」と称する）と、増幅回路６４と、整流回路６６とを備えている。
【００７０】
ＭＵＸ６２は、マイコン８０からのコイル選択信号Ｓ３に基づき、センスコイル部１１０の各センスコイルＸ１〜Ｘｍ，Ｙ１〜Ｙｎを、所定の周期Ｔ（後述の図５及びや図６に示すスキャン周期Ｔと同一）ごとに順次選択する。そして、ＭＵＸ６２は、選択されたセンスコイル部１１０において、電子ペン２の先端スイッチ４２がオンの場合にＬＣ発振回路４１ｂ又は４１ｄから発生される入力周波数ｆ２又はｆ４の磁界との磁気誘導によって発生した上記信号Ｓ１を入力し、対応する信号Ｓ１１を出力する。
【００７１】
増幅回路６４は、ＭＵＸ６２から入力される信号Ｓ１１を増幅する。増幅回路６４で増幅された信号すなわち電子ペン入力検知信号Ｓ１２は、マイコン８０に入力される。また、増幅回路６４で増幅された別の信号Ｓ１３は、整流回路６６に入力される。整流回路６６は、入力した上記信号Ｓ１３を振幅検波した後、平滑化して直流信号に変換する。なお、整流回路６６で振幅検波された信号Ｓ１４は、マイコン８０に入力される。
【００７２】
なお、ＭＵＸ６２が上記所定の周期Ｔごとにセンスコイル部１１０の各センスコイルＸ１〜Ｘｍ，Ｙ１〜Ｙｎを順次選択して上記信号Ｓ１１を出力することを契機に、上記信号Ｓ１４がマイコン８０に入力される。これは実質的には、ＭＵＸ６２が、マイコン８０を、センスコイル部１１０の各センスコイルＸ１〜Ｘｍ，Ｙ１〜Ｙｎに対し上記所定の周期Ｔごとに順次切り替えて接続することに相当する。すなわち、ＭＵＸ６２が、各請求項記載の切替接続手段として機能する。
【００７３】
マイコン８０は、前述したようにＡ／Ｄ変換機能を備えており、上記入力された振幅検波後の信号Ｓ１４をデジタル信号に変換する。このとき、マイコン８０の上記ＲＯＭ８０ｂに後述の位置座標テーブルが記憶されている。マイコン６０は、上記デジタル信号に対し、上記位置座標テーブルを適用することにより、ｘ軸方向のｘ座標及びｙ軸方向のｙ座標を算出する。なお、算出された座標データは、後述の周辺回路７０のフラッシュメモリ７２に記憶される。この座標データの算出手法の詳細は、後述する。
【００７４】
周辺回路７０は、図２に示すように、フラッシュメモリ７２と、通信インターフェース７４と、表示部７６とを備えている。
【００７５】
フラッシュメモリ７２には電子ファイルが予め用意されており、記録端末３で算出された座標データは上記電子ファイルに書き込まれ保存される。通信インターフェース７４は、フラッシュメモリ７２に保存された複数の座標データを含むペン位置データ列に基づくストロークデータを、パーソナルコンピュータなどの外部装置に提供するためのインターフェースである。具体的には、通信インターフェース７４は、例えばＵｎｉｖｅｒｓａｌ  Ｓｅｒｉａｌ  Ｂｕｓ（ＵＳＢ）接続のためのＵＳＢインターフェースや、ＳＤカードなどのメモリカードスロットや、無線又は有線のネットワークインターフェースである。
【００７６】
表示部７６は、例えばＬｉｑｕｉｄ  Ｃｒｙｓｔａｌ  Ｄｉｓｐｌａｙ（ＬＣＤ）によって構成され、電池２１の残量など、記録端末３の動作状態に係わる所定の情報を表示する。
【００７７】
スイッチ部９０は、マイコン８０からの制御信号Ｓａにしたがって、電池２１を、接近検出回路５０、若しくは、位置検出回路６０及び周辺回路７０に、選択的に接続する。
【００７８】
上記構成の本実施形態の特徴は、電子ペン２が文字入力モードである場合には、記録端末３に対し、ＬＣ発振回路４１ａ又は４１ｂから周波数ｆ１又はｆ２による磁界を連続的に発生させ、電子ペン２がキーワード設定モード又はチェック・マークモードである場合には、記録端末３に対し、ＬＣ発振回路４１ｃ又は４１ｄから周波数ｆ３又はｆ４の磁界を上記文字入力モードにおける磁界の発生間隔より長い間隔で間欠的に発生させることにある。以下、その詳細を、図５及び図６を用いて説明する。なお、図５及び図６に示すグラフでは、横軸に時間をとって表している。
【００７９】
電子ペン２には、上述したように、文字入力モード、キーワード設定モード、及びチェック・マークモードが備えられている。ノート３０の筆記面３１へ文字を記載したい場合、使用者は、電子ペン２のモード切替スイッチ４４を用いてモードを文字入力モードに切り替える。そして、筆記面３１に文字の記載を行う。
【００８０】
文字入力モードでは、図５に示すように、電子ペン２のＬＣ発振回路４１から磁界が連続的に発生される。具体的には、電子ペン２の先端部２ａが筆記面３１に接触しておらず先端スイッチ４２がオフの状態では、ＬＣ発振回路４１ａから接近周波数ｆ１の磁界が連続的に発生される。電子ペン２の先端部２ａが筆記面３１に接触しており先端スイッチ４２がオンの状態では、ＬＣ発振回路４１ｂから入力周波数ｆ２の磁界が連続的に発生される。
【００８１】
したがって、電子ペン２が文字入力モードである場合には、記録端末３では、電子ペン２のＬＣ発振回路４１から連続的に発生される磁界によって、電子ペン２の座標データが連続的に検出される。
【００８２】
一方、筆記面３１に文字以外を記載したい場合、使用者は、電子ペン２のモード切替スイッチ４４を用いてモードをキーワード設定モード又はチェック・マークモードに切り替える。そして、筆記面３１に文字以外の記載を行う。すなわち、キーワード設定モードに切り替えた場合には、文字入力モードで筆記面３１に記載した文字列の所定の範囲に線分を記載する。チェック・マークモードに切り替えた場合には、筆記面３１に予め設けられたチェックボックスやマークシートにチェック線の記載や塗りつぶしを行う。
【００８３】
キーワード設定モードでは、図６に示すように、磁界の発生を行う発生時間ｔ１と、磁界の発生を行わない非発生時間ｔ２とを、交互に繰り返す間欠的発生がが、電子ペン２のＬＣ発振回路４１によって行われる。すなわち、発生時間ｔ１の間はＬＣ発振回路４１から磁界の発生が行われ、非発生時間ｔ２の間はＬＣ発振回路４１からの磁界の発生は停止される。具体的には、電子ペン２の先端部２ａが筆記面３１に接触しておらず先端スイッチ４２がオフの状態では、ＬＣ発振回路４１ｃから接近周波数ｆ３の磁界が間欠的に発生される。電子ペン２の先端部２ａが筆記面３１に接触しており先端スイッチ４２がオンの状態では、ＬＣ発振回路４１ｄから入力周波数ｆ４の磁界が間欠的に発生される。
【００８４】
したがって、電子ペン２がキーワード設定モードである場合には、記録端末３では、ＬＣ発振回路４１から上記のように間欠的に発生される磁界によって、電子ペン２の座標データが離散的に検出される。
【００８５】
このとき、記録端末３に対し磁界の発生が行われる上記発生時間ｔ１は、図６に示すように、記録端末３側でセンスコイル部１１０のセンスコイルＸ１〜Ｘｍ，Ｙ１〜Ｙｎのスキャン（詳細は後述）が行われるスキャン周期Ｔよりも長い時間に設定されている。すなわち、キーワード設定モードでは、周波数ｆ３又はｆ４の磁界が、間欠的に、かつ上記スキャン周期Ｔよりも長い送信時間すなわち発生時間で発生される。このため、電子ペン２から磁界が発生されている上記発生時間ｔ１の間に、記録端末３のマイコン８０によって上記センスコイルＸ１〜Ｘｍ，Ｙ１〜Ｙｎが少なくとも１回は選択されるようになっている。
【００８６】
また、電子ペン２がキーワード設定モードである場合、先端スイッチ４２のオン・オフが切り替わったら、そのタイミングが記録端末３に対し磁界の発生が行わない上記非発生時間ｔ２の間でも、そのタイミングでＬＣ発振回路４１から磁界が発生される。以下、その詳細を、図７（ａ）及び図７（ｂ）を用いて説明する。なお、図７（ｂ）に示すグラフでは、縦軸に発生される磁界の周波数をとり横軸に時間をとって表している。
【００８７】
図７（ａ）に示すように、ノート３０の筆記面３１には、「文」「字」「入」「力」からなる文字列ＣＨが記載されている。この文字列ＣＨは、文字入力モード時に記載された文字列である。そして、この文字列ＣＨの、「文」「字」の所定の範囲（後述）に線分ＵＬ１が記載され、「入」「力」の所定の範囲（後述）に線分ＵＬ２が記載されている。これら線分ＵＬ１，ＵＬ２は、それぞれ、キーワード設定モード時に記載された線分であり、一筆書きすなわち１ストロークで記載されている。
【００８８】
電子ペン２による線分ＵＬ１，ＵＬ２の記載時には、電子ペン２の先端部２ａは、点ｐ１の位置で筆記面３１に接触され、点ｐ２の位置で接触が解除すなわち筆記面３１から離されている。その後、点ｐ３の位置で筆記面３１に再び接触され、点ｐ４の位置で筆記面３１から離されている。このような場合には、電子ペン２の先端スイッチ４２は、点ｐ１の位置でオフからオン切り替わり、点ｐ２の位置でオンからオフに切り替わる。その後、点ｐ３の位置で再びオフからオンに切り替わり、点ｐ４の位置でオンからオフに切り替わる。
【００８９】
このような場合における電子ペン２のＬＣ発振回路４１からの磁界の発生挙動は、図７（ｂ）に示すように、点ｐ１の位置で先端スイッチ４２がオフからオンとなったタイミングｔｐ１で、記録端末３に対し、ＬＣ発振回路４１ｄから入力周波数ｆ４の磁界が発生される。その後、先端スイッチ４２がオンの間は、記録端末３に対し入力周波数ｆ４の磁界を発生する発生時間ｔ１と非発生時間ｔ２とを交互に繰り返す間欠的発生がＬＣ発振回路４１ｄによって行われる。そして、点ｐ２の位置で先端スイッチ４２がオンからオフとなったタイミングｔｐ２で、記録端末３に対し、ＬＣ発振回路４１ｃから接近周波数ｆ３の磁界が発生される。先端スイッチ４２がオフの間は、記録端末３に対し接近周波数ｆ３の磁界を発生する発生時間ｔ１と非発生時間ｔ２とを交互に繰り返す間欠的発生がＬＣ発振回路４１ｃによって行われる。そして、点ｐ３の位置で先端スイッチ４２がオフからオンとなったタイミングｔｐ３で、記録端末３に対し、ＬＣ発振回路４１ｄから入力周波数ｆ４の磁界が発生される。その後、先端スイッチ４２がオンの間は、記録端末３に対し入力周波数ｆ４の磁界を発生する発生時間ｔ１と非発生時間ｔ２とを交互に繰り返す間欠的発生がＬＣ発振回路４１ｄによって行われる。そして、点ｐ４の位置で先端スイッチ４２がオンからオフとなったタイミングｔｐ４で、記録端末３に対し、ＬＣ発振回路４１ｃから接近周波数ｆ３の磁界が発生される。
【００９０】
以上のように、電子ペン２がキーワード設定モードである場合では、先端スイッチ４２がオフからオンに切り替わったら、そのタイミングが記録端末３に対し磁界の発生を行わない上記非発生時間ｔ２の間でも、そのタイミングでＬＣ発振回路４１ｄから入力周波数ｆ４の磁界が発生される。また、先端スイッチ４２がオンからオフに切り替わったら、そのタイミングが記録端末３に対し磁界の発生を行わない上記非発生時間ｔ２の間でも、そのタイミングでＬＣ発振回路４１ｃから接近周波数ｆ３の磁界が発生される。
【００９１】
したがって、記録端末３では、電子ペン２が記載した、各線分ＵＬの始点及び終点の位置に対応した座標データを確実に取得できる。
【００９２】
次に、記録端末３でのキーワードの抽出手法の詳細を、図８（ａ）〜図８（ｄ）、及び、図９（ａ）〜図９（ｄ）を用いて説明する。
【００９３】
図８（ａ）には、電子ファイル上の、「あ」「い」「う」「え」「お」「か」「さ」からなる文字列ＣＨｉと、当該文字列ＣＨｉの近傍に位置する線分ＵＬｊとを表している。この文字列ＣＨｉは、文字入力モードに切り替えられた電子ペン２から連続的に発生された磁界と記録端末３のセンスコイル部１１０との電磁誘導に基づき、連続的に取得された複数の座標データを含むペン位置データ列に基づく文字列データ、すなわちストロークデータによって表された文字列である。この線分ＵＬｊは、キーワード設定モードに切り替えられた電子ペン２から間欠的に発生された磁界と記録端末３のセンスコイル部１１０との電磁誘導に基づき、間欠的に取得された複数の座標データに対応した、電子ファイル上の、点ａ、点ｂ、点ｃ、点ｄ、点ｅ、点ｆ、点ｇ、点ｈ、点ｉ、点ｊ、点ｋ、点ｌを、順次つなぐことで表された線分である。
【００９４】
本実施形態では、文字列データのうち、電子ファイル上で線分ＵＬｊの所定の範囲に含まれる文字列ＣＨｉに対応した文字列データが、キーワードとして抽出される。具体的には、文字列ＣＨｉに含まれる各文字について、文字として切り出された範囲（図中点線で囲まれた範囲。以下適宜、「文字範囲」と称する）の最下部と、線分ＵＬｊのうち当該文字範囲の横方向寸法Ｌｉに係る部分と、の最小距離ｄｉが、当該文字範囲の縦方向寸法Ｈｉよりも小さくなるか、及び、線分ＵＬｊのうち文字範囲の横方向寸法Ｌｉに係る部分の寸法Ｗｉが、当該文字範囲の横方向寸法Ｌｉの２分の１の寸法よりも大きくなるか、の両方が判定される。なお、図８（ａ）及び図８（ｂ）に示す例では、「あ」の文字についての上記Ｌｉ，ｄｉ，Ｈｉ，Ｗｉを表している。そして、文字列ＣＨｉに含まれる文字のうち、上記２つの条件を満たす、すなわち、ｄｉ＜Ｈｉ、かつＷｉ＞Ｌｉ／２となる、文字からなる文字列に対応した文字列データが、キーワードとして抽出される。したがって、「あ」については、ｄｉ＜Ｈｉ、かつＷｉ＞Ｌｉ／２となるので、「あ」に対応した文字データは、キーワードとして抽出される。
【００９５】
また、同様にして、上記図８（ａ）に示す文字列ＣＨｉに含まれる「い」、「う」、「え」、及び「お」について、図８（ｃ）、図８（ｄ）、図９（ａ）、及び図９（ｂ）に示すように、ｄｉ＜Ｈｉ、かつＷｉ＞Ｌｉ／２となる。したがって、「い」、「う」、「え」、及び「お」に対応した文字データは、キーワードとして抽出される。
【００９６】
また、上記図８（ａ）に示す文字列ＣＨｉに含まれる「さ」については、図９（ｃ）に示すように、ｄｉ＜Ｈｉ、かつＷｉ＞Ｌｉ／２とはならない。つまり、ｄｉ≧Ｈｉ、かつＷｉ＞Ｌｉ／２となる。したがって、「さ」に対応した文字データは、キーワードとして抽出されない。
【００９７】
また、上記図８（ａ）に示す文字列ＣＨｉに含まれる「か」については、図９（ｄ）に示すように、ｄｉ＜Ｈｉ、かつＷｉ＞Ｌｉ／２とはならない。つまり、ｄｉ＜Ｈｉ、かつＷｉ≦Ｌｉ／２となる。したがって、「か」に対応した文字データは、キーワードとして抽出されない。
【００９８】
以上のように、上記図８（ａ）に示す文字列ＣＨｉについては、ｄｉ＜Ｈｉ、かつＷｉ＞Ｌｉ／２となる、「あ」「い」「う」「え」「お」からなる文字列に対応した文字列データが、キーワードとして抽出されることとなる。
【００９９】
次に、チェック・マークモードに切り替えられた電子ペン２から発生される磁界の発生タイミングを、図１０（ａ）及び図１０（ｂ）を用いて説明する。なお、図１０（ｂ）に示すグラフでは、縦軸に発生される磁界の周波数をとり横軸に時間をとって表している。
【０１００】
図１０（ａ）に示すように、ノート３０の筆記面３１には、３つのチェックボックスＣｂ１，Ｃｂ２，Ｃｂ３が予め設けられている。そして、これらチェックボックスＣｂ１〜Ｃｂ３のうち、チェックボックスＣｂ１に対し、チェック線Ｃｓが記載されている。このチェック線Ｃｓは、チェック・マークモード時に記載された線分であり、一筆書きすなわち１ストロークで記載されている。
【０１０１】
電子ペン２によるチェック線Ｃｓの記載時には、電子ペン２の先端部２ａは、点ｐ５の位置で筆記面３１に接触され、点ｐ６の位置で筆記面３１から離されている。このような場合には、電子ペン２の先端スイッチ４２は、点ｐ５の位置でオフからオン切り替わり、点ｐ６の位置でオンからオフに切り替わる。
【０１０２】
このような場合における電子ペン２のＬＣ発振回路４１からの磁界の発生挙動は、図１０（ｂ）に示すように、点ｐ５の位置で先端スイッチ４２がオフからオンとなったタイミングｔｐ５で、記録端末３に対し、ＬＣ発振回路４１ｄから入力周波数ｆ４の磁界が発生される。なお、このときの磁界は、前述の発生時間ｔ１の間だけ発生される。そして、点ｐ６の位置で先端スイッチ４２がオンからオフとなったタイミングｔｐ６で、記録端末３に対し、ＬＣ発振回路４１ｃから接近周波数ｆ３の磁界が発生される。なお、このときの磁界も、前述の発生時間ｔ１の間だけ発生される。
【０１０３】
すなわち、電子ペン２がチェック・マークモードである場合では、先端スイッチ４２のオン・オフが切り替わったら、そのタイミングでＬＣ発振回路４１から磁界が発生される。具体的には、先端スイッチ４２がオフからオンに切り替わったら、そのタイミングでＬＣ発振回路４１ｄから入力周波数ｆ４の磁界が発生され、先端スイッチ４２がオンからオフに切り替わったら、そのタイミングでＬＣ発振回路４１ｃから接近周波数ｆ３の磁界が発生される。つまり、チェック線Ｃｓの始点で入力周波数ｆ４の磁界が発生され、終点ｐ６で接近周波数ｆ３の磁界が発生されるのである。
【０１０４】
したがって、記録端末３では、電子ペン２が記載した、各チェック線Ｃｓの始点及び終点に対応した位置の座標データを確実に取得できる。
【０１０５】
次に、記録端末３でのチェックボックスＣｂの選択手法の詳細を、図１０（ｃ）を用いて説明する。
【０１０６】
図１０（ｃ）には、電子ファイル上の、チェックボックスＣｂ１〜Ｃｂ３と、線分Ｌｊとを表している。この線分Ｌｊは、チェック・マークモードに切り替えられた電子ペン２から上記図１０（ａ）に示すチェック線Ｃｓの点ｐ５及び点ｐ６の位置で発生された磁界と記録端末３のセンスコイル部１１０との電磁誘導に基づき、間欠的に取得された２つの座標データに対応した、電子ファイル上の、点ｍ及び点ｎをつなぐことで表された線分である。
【０１０７】
本実施形態では、複数のチェックボックスＣｂのうち、電子ファイル上で線分Ｌｊと最も近い位置に存在するチェックボックスＣｂが、筆記面３１上で選択されたチェックボックスＣｂとして選択される。具体的には、電子ファイル上の各チェックボックスＣｂについて、線分Ｌｊと、電子ファイル上のチェックボックスＣｂの中心点ｃｐとの最小距離ｄｍが算出され、その算出された最小距離ｄｍが最も小さいチェックボックスＣｂが、筆記面３１上で選択されたチェックボックスＣｂとして選択される。
【０１０８】
図１０（ｃ）に示す例では、電子ファイル上において、チェックボックスＣｂ１に係る最小距離ｄｍ１、チェックボックスＣｂ２に係る最小距離ｄｍ２、チェックボックスＣｂ３に係る最小距離ｄｍ３の順に大きくなっている。すなわち、ｄｍ１＜ｄｍ２＜ｄｍ３となっている。したがって、この場合、チェックボックスＣｂ１〜Ｃｂ３のうち、線分Ｌｊとの最小距離ｄｍが最も小さいチェックボックスＣｂ１が、筆記面３１上で選択されたチェックボックスＣｂとして選択される。
【０１０９】
以上説明した機能を実現するために、電子ペン２のマイコン４０のＣＰＵ４０ａによって行われる制御処理の内容を、図１１により説明する。
【０１１０】
図１１において、この処理は、使用者が電子ペン２の電源をオンにした場合に開始される。まずステップＳＰ２０で、ＣＰＵ４０ａは、モード切替スイッチ４４によるモード切替状態、言い換えれば、モード切替スイッチ４４によるモード選択状態を判定する。このステップが、各請求項記載の切替判定手段として機能する。ステップＳＰ２０において、文字入力モードへの切替状態であると判定された場合には、ステップＳＰ３０に移る。
【０１１１】
ステップＳＰ３０では、ＣＰＵ４０ａは、ＬＣ発振回路４１ａ又は４１ｂに制御信号を出力して、記録端末３に対し、周波数ｆ１又はｆ２の磁界を発生させる。具体的には、先端スイッチ４２がオフである場合には、ＣＰＵ４０ａは、ＬＣ発振回路４１ａに制御信号を出力して、記録端末３に対し、接近周波数ｆ１の磁界を発生させる。先端スイッチ４２がオンである場合には、ＣＰＵ４０ａは、ＬＣ発振回路４１ｂに制御信号を出力して、記録端末３に対し、入力周波数ｆ２の磁界を発生させる。
【０１１２】
その後、ステップＳＰ４０で、ＣＰＵ４０ａは、使用者によってモード切替スイッチ４４が操作されて、モードが切り替えられたかどうかを判定する。モードが切り替えられていない間、すなわちモードが文字入力モードである間は、ステップＳＰ４０の判定が満たされず、ステップＳＰ３０に戻り同様の手順を繰り返す。すなわち、モードが文字入力モードである間は、ＣＰＵ４０ａは、記録端末３に対し、周波数ｆ１又はｆ２の磁界を連続的に発生するように、ＬＣ発振回路４１を制御する。一方、モードが切り替えられた場合には、ステップＳＰ４０の判定が満たされて、ステップＳＰ２０に戻り同様の手順を繰り返す。
【０１１３】
ところで、ステップＳ２０において、キーワード設定モードへの切替状態であると判定された場合には、ステップＳＰ５０に移る。ステップＳＰ５０では、ＣＰＵ４０ａは、モードの切替状態を表すモード変数ＰＭを、キーワード設定モードへの切替状態を表す０に設定する。そして、ステップＳＰ７０に移る。
【０１１４】
一方、ステップＳ２０において、チェック・マークモードへの切替状態であると判定された場合には、ステップＳＰ６０に移る。ステップＳＰ６０では、ＣＰＵ４０ａは、上記モード変数ＰＭを、チェック・マークモードへの切替状態を表す１に設定する。その後、ステップＳＰ７０に移る。
【０１１５】
ステップＳＰ７０では、ＣＰＵ４０ａは、ＬＣ発振回路４１ｃ又は４１ｄに制御信号を出力して、記録端末３に対し、周波数ｆ３又はｆ４の磁界を、上記発生時間ｔ１の間だけ発生させる。具体的には、先端スイッチ４２がオフである場合には、ＣＰＵ４０ａは、ＬＣ発振回路４１ｃに制御信号を出力して、記録端末３に対し、接近周波数ｆ３の磁界を、上記発生時間ｔ１の間だけ発生させる。先端スイッチ４２がオンである場合には、ＣＰＵ４０ａは、ＬＣ発振回路４１ｂに制御信号を出力して、記録端末３に対し、入力周波数ｆ４の磁界を、上記発生時間ｔ１の間だけ発生させる。
【０１１６】
そして、ステップＳＰ８０に移り、ＣＰＵ４０ａは、上記モード変数ＰＭの値が、キーワード設定モードへの切替状態を表す０であるかどうかを判定する。ＰＭ＝０である場合には、ステップＳＰ８０の判定が満たされて、ステップＳＰ９０に移る。ステップＳＰ９０では、ＣＰＵ４０ａは、マイコン４０のタイマー４０ｅによる計時時間Ｔｃを０にリセットすると共に計時を開始させる。その後、ステップＳＰ１００に移る。一方、ステップＳＰ８０において、ＰＭ＝１であった場合には、ステップＳＰ８０の判定が満たされず、ステップＳＰ１００に直接移る。
【０１１７】
ステップＳＰ１００では、ＣＰＵ４０ａは、先端スイッチ４２のオン・オフが切り替わったかどうかを判定する。具体的に言えば、ＣＰＵ４０ａは、筆記面３１から離れていた先端部２ａが筆記面３１に対し接触することで先端スイッチ４２がオフからオンに切り替わったかどうか、又は、筆記面３１に対し接触していた先端部２ａが筆記面３１から離れることで先端スイッチ４２がオンからオフに切り替わったかどうか、を判定する。これは実質的には、筆記面３１に対する先端部２ａの接触の変化を検出することに相当する。すなわち、このステップは、各請求項記載の接触検出手段として機能する。先端スイッチ４２のオン・オフが切り替わった場合、すなわち、先端部２ａの接触の変化が検出された場合には、ステップＳＰ１００の判定が満たされて、ステップＳＰ７０に戻り同様の手順を繰り返す。すなわち、モードがキーワード設定モード又はチェック・マークモードである間は、ＣＰＵ４０ａは、先端部２ａの接触の変化が検出されたら、そのタイミングで周波数ｆ３又はｆ４の磁界を発生するように、ＬＣ発振回路４１を制御する。一方、先端スイッチ４２のオン・オフが切り替わっっていない場合、すなわち、先端部２ａの接触の変化が検出されなかった場合には、ステップＳＰ１００の判定が満たされず、ステップＳＰ１１０に移る。
【０１１８】
ステップＳＰ１１０では、ＣＰＵ４０ａは、使用者によってモード切替スイッチ４４が操作されて、電子ペン２のモードが切り替えられたかどうかを判定する。モードが切り替えられた場合には、ステップＳＰ１１０の判定が満たされて、ステップＳＰ２０に戻り同様の手順を繰り返す。一方、モードが切り替えられていない場合には、ステップＳＰ１１０の判定が満たされず、ステップＳＰ１２０に移る。
【０１１９】
ステップＳＰ１２０では、ＣＰＵ４０ａは、上記モード変数ＰＭの値が、キーワード設定モードへの切替状態を表す０であるかどうかを判定する。ＰＭ＝１である場合には、ステップＳＰ１２０の判定が満たされず、ステップＳＰ１００に戻り同様の手順を繰り返す。一方、ＰＭ＝０である場合には、ステップＳＰ１２０の判定が満たされて、ステップＳＰ１３０に移る。
【０１２０】
ステップＳＰ１３０では、ＣＰＵ４０ａは、上記ステップＳＰ９０で計時を開始させた計時時間ｔｃが、上記非発生時間ｔ２に送達したかどうかを判定する。ｔｃ＝ｔ２となっていない場合には、ステップＳＰ１３０の判定が満たされず、ステップＳＰ１００に戻り同様の手順を繰り返す。一方、ｔｃ＝ｔ２となった場合には、ステップＳＰ１３０の判定が満たされて、ステップＳＰ７０に戻り同様の手順を繰り返す。すなわち、モードがキーワード設定モードである間は、ＣＰＵ４０ａは、周波数ｆ３又はｆ４による磁界の発生を行う発生時間ｔ１と、磁界の発生を行わない非発生時間ｔ２とを交互に繰り返す、間欠発生を行うように、ＬＣ発振回路４１を制御する。なお、このフローは、例えば使用者が電子ペン２の電源をオフにした場合に終了する。
【０１２１】
以上のように、ＣＰＵ４０ａは、モード切替スイッチ４４によりキーワード設定モード及びチェック・マークモードのいずれが選択されたかに応じて、磁界の発生間隔を変化させるよう、ＬＣ発振回路４１を制御している。つまり、チェック・マークモードの場合では、ＬＣ発振回路４１は、磁界を電子ペン２の筆記開始点及び筆記終了点で発生する。キーワード設定モードの場合では、ＬＣ発振回路４１は、磁界を上記所定の間隔で発生すると共に、電子ペン２の筆記開始点及び筆記終了点で発生する。
【０１２２】
次に、上述したような機能を実現するために、記録端末３のマイコン８０のＣＰＵ８０ａによって行われる制御処理の内容を、図１２により説明する。
【０１２３】
図１２において、この処理は、使用者が記録端末３の電源をオンにした場合に開始される。まず、ＣＰＵ８０ａは、ステップＳＳ１０で、記録端末３を待機状態とする。すなわち、ＣＰＵ８０ａは、スイッチ部９０に制御信号Ｓａ（図２参照）を出力し、スイッチ部９０が電池２１と接近検出回路５０とを接続するとともに、電池２１と位置検出回路６０及び周辺回路７０とを遮断する。これによって、位置検出回路６０及び周辺回路７０への電力の供給は遮断され、接近検出回路５０にだけ電力が供給される。この結果、接近検出回路５０は動作状態となり、位置検出回路６０及び周辺回路７０を休止状態に切り替えられる。なお、待機状態では、例えば後述するステップＳＳ４０で開始されるセンスコイル部１１０のスキャン等の負荷の大きな処理が実行されないので、マイコン８０自体もスリープモードに切り替えられる。これらによって省電力が図られる。
【０１２４】
その後、ステップＳＳ２０に移り、ＣＰＵ８０ａは、記録端末３へ電子ペン２が接近したかどうかを判定する。前述のように、電子ペン２が接近したら解除信号Ｓ２４（図２参照）が入力されるので、ＣＰＵ８０ａは、持続検出回路５８からの解除信号Ｓ２４が入力されたかどうかによりステップＳＳ２０の判定を行う。解除信号Ｓ２４が入力されていなければ判定が満たされず、ステップＳＳ１０に戻り同様の手順を繰り返す。電子ペン２が記録端末３へ接近し解除信号Ｓ２４が入力されたらステップＳＳ２０の判定が満たされ、ステップＳＳ３０に移る。なお、この解除信号Ｓ２４の入力検知の処理には、割り込み機能が用いられる。
【０１２５】
ステップＳＳ３０では、記録端末３を動作状態とする。すなわち、ＣＰＵ８０ａは、スイッチ部９０に制御信号Ｓａ（図２参照）を出力し、スイッチ部９０が電池２１と接近検出回路５０とを遮断するとともに、電池２１と位置検出回路６０及び周辺回路７０とを接続する。これによって、接近検出回路５０への電力の供給は遮断され、位置検出回路６０及び周辺回路７０へ電力が供給される。この結果、接近検出回路５０の休止状態に切り替えられるとともに、休止状態であった位置検出回路６０及び周辺回路７０は動作状態に切り替えられる。
【０１２６】
そして、ステップＳＳ４０において、ＣＰＵ８０ａは、コイルシート１００Ｌ，１００Ｒに備えられたセンスコイル部１１０のスキャン処理を実行する。具体的には、ＣＰＵ８０ａは、センスコイルＸ１〜ＸｍとセンスコイルＹ１〜Ｙｎとを前述の周期Ｔで順番に選択するコイル選択信号Ｓ３（図２参照）を、ＭＵＸ６２に出力する。前述したように、電子ペン２の先端スイッチ４２がオンの状態でＬＣ発振回路４１ｂ又は４１ｄから発生された入力周波数ｆ２又はｆ４の磁界と、いずれかのセンスコイルＸ１〜Ｘｍ，Ｙ１〜Ｙｎとの磁気誘導によって、信号Ｓ１（図２参照）が発生する。信号Ｓ１が発生している状態においてＭＵＸ６２により選択されたセンスコイルＸ１〜Ｘｍ，Ｙ１〜Ｙｎからの上記信号Ｓ１は、ＭＵＸ６２へ入力される。ＭＵＸ６２はその入力した信号Ｓ１に対応した信号Ｓ１１を増幅回路６４へ出力し、信号Ｓ１１は、増幅回路６４によって増幅され、増幅後の信号Ｓ１２（図２参照）がマイコン８０のカウンタ８０ｄに入力される。このようにしてステップＳＳ４０が終了したら、ステップＳＳ５０へ移る。
【０１２７】
ステップＳＳ５０では、ＣＰＵ８０ａは、上記ステップＳＳ４０でカウンタ８０ｄに対し所定のしきい値以上の入力周波数ｆ２又はｆ４の信号Ｓ１２が検出されたかを判定する。入力周波数ｆ２の信号Ｓ１２は、使用者が文字入力モードに切り替えられた電子ペン２を用いて筆記面３１に文字列ＣＨを記載した場合に先端スイッチ４２がオンになり、ＬＣ発振回路４１ｂで発生される入力周波数ｆ２の磁界と、センスコイル部１１０とで生じた磁気誘導に基づく信号である。入力周波数ｆ４の信号Ｓ１２は、使用者がキーワード設定モード又はチェック・マークモードに切り替えられた電子ペン２を用いて筆記面３１に線分ＵＬ又はチェック線Ｃｓ等を記載した場合に先端スイッチ４２がオンになり、ＬＣ発振回路４１ｄで発生される入力周波数ｆ４の磁界と、センスコイル部１１０とで生じた磁気誘導に基づく信号である。カウンタ８０ｄにより上記しきい値以上の入力周波数ｆ２又はｆ４の信号Ｓ１２が検出されない間は、ステップＳＳ５０の判定が満たされず、ステップＳＳ５５に移る。
【０１２８】
ステップＳＳ５５では、ＣＰＵ８０ａは、現時点から最も直近に上記ステップＳＳ５０の判定が満たされてから、予め定められた一定時間が経過したかどうかを判定する。一定時間が経過していない間はステップＳＳ５５の判定が満たされず、ステップＳＳ４０に戻り同様の手順を繰り返す。一定時間が経過している場合には、ステップＳＳ５５の判定が満たされて、ステップＳＳ６０に移る。
【０１２９】
ステップＳＳ６０では、ＣＰＵ８０ａは、記録端末３の電源がオフにされているかどうかを判定する。電源がオンである間はステップＳＳ６０の判定が満たされず、ステップＳＳ１０に戻り同様の手順を繰り返す。電源がオフにされている場合には、ステップＳＳ６０の判定が満たされて、このフローを終了する。
【０１３０】
一方、ステップＳＳ５０において、上記カウンタ８０ｄにより上記しきい値以上の入力周波数ｆ２又はｆ４の信号Ｓ１２が検出されたら、ステップＳＳ５０の判定が満たされて、ステップＳＳ７０に移る。
【０１３１】
ステップＳＳ７０では、上記ステップＳＳ４０におけるセンスコイル部１１０のスキャン結果、すなわち電子ペン２から発生し入力周波数ｆ２又はｆ４の磁界とセンスコイル部１１０のいずれかのセンスコイルＸ１〜Ｘｍ，Ｙ１〜Ｙｎとの磁気誘導の結果に基づく電子ペン２の位置の算出、すなわち座標データの算出を行う。この座標データの算出の詳細を、以下、順を追って説明する。
【０１３２】
（１）位置座標テーブル
前述したように、座標データの算出には、マイコン８０のＲＯＭ８０ｂに記憶された位置座標テーブルを用いる。この位置座標テーブルについて、図１３（ａ）〜（ｃ）及び図１４（ａ），（ｂ）を参照して説明する。なお、図１３（ａ）では、図４とは異なりセンスコイルＸ１〜Ｘ３は、実線で示されている。また、図１４（ａ）では、センスコイルＸ１〜Ｘ３の配置を分かり易くするために、センスコイルＸ１〜Ｘ３の各辺が重ならないように図示している。
【０１３３】
図１３（ａ）において、３つのセンスコイルＸ１，Ｘ２，Ｘ３の中心線をそれぞれＣ１，Ｃ２，Ｃ３とする。これらセンスコイルＸ１，Ｘ２，Ｘ３にそれぞれ発生する電圧値ｅｘ１，ｅｘ２，ｅｘ３は、図１３（ｂ）に示すように、センスコイルＸ１〜Ｘ３の中心Ｃ１〜Ｃ３においてそれぞれ最大になる。このとき、センスコイルＸ１〜Ｘ３は、自己のヌル点が隣接するセンスコイルの中心の外側となるように、前述したように、ｘ軸方向の幅Ｐ１の２分の１の幅で重ねられている。
【０１３４】
このとき、図１３（ｃ）に示すように、センスコイルＸ１〜Ｘ３の相互に隣接するセンスコイル間の電圧差は、センスコイルＸ１〜Ｘ３の中心Ｃ１〜Ｃ３上においてそれぞれ最大値となる。また、当該電圧差は、センスコイルＸ１〜Ｘ３の中心と、隣接するセンスコイルＸ１〜Ｘ３が重なった部分との中間点において、それぞれ最小値となる。例えば、図１３（ｃ）において、（ｅｘ１−ｅｘ２）のグラフの右半分つまり実線で示す部分は、センスコイルＸ１の中心Ｃ１から、センスコイルＸ２が重ねられた部分の中間点Ｑ１までの距離、すなわち重ねピッチの２分の１であるＰ１の４分の１における、ｅｘ１−ｅｘ２の挙動を示している。
【０１３５】
仮に電子ペン２が中間点Ｑ２に存在したとすると、（ｅｘ１−ｅｘ２）を検出すれば、中心Ｃ１から中間点Ｑ２点までの距離△Ｘ１を検出でき、その結果中間点Ｑ２のｘ座標が求められる。仮にセンスコイルＸ１〜Ｘ３の幅Ｐ１が５０ｍｍであるとすれば、△Ｘ＝Ｐ１／４＝１２．５ｍｍである。したがって、例えば、図１３（ｃ）における上記（ｅｘ１−ｅｘ２）の特性を示す実線部分を８ｂｉｔのデジタルデータに変換すると、図１４（ａ）に示すグラフが得られる。このグラフをテーブル形式に変換することにより、図１４（ｂ）に示す位置座標テーブルが得られる。
【０１３６】
（２）コイル電圧値を用いた座標決定
前述したように、電子ペン２から発生した磁界とセンスコイルＸ１〜Ｘｍ，Ｙ１〜Ｙｎとの磁気誘導によって発生した信号Ｓ１は、増幅回路６４で増幅され、整流回路６６で振幅検波され、信号Ｓ１４（図２参照）となってマイコン８０に入力される。マイコン８０は、入力された信号Ｓ１４を、振幅つまり電圧値に対応したデジタル信号に変換する。ＣＰＵ８０ａは、このデジタル信号の表す電圧値を用いて、前述の位置座標テーブルを用いて電子ペン２の座標を決定する。以下、センスコイルＸ１〜Ｘｍを例にとって上記座標決定の詳細手順を説明する。
【０１３７】
まず、ＣＰＵ８０ａは、上記信号Ｓ１４から変換されたデジタル信号によって示される電圧値ｅ１〜ｅｍを、センスコイルＸ１〜Ｘｍのコイル番号と対応付けて、ＲＡＭ８０ｃの電圧値記憶エリアに順次記憶する。
【０１３８】
その後、ＣＰＵ８０ａは、センスコイルＸ１〜Ｘｍのコイル番号に対応付けて、電圧値記憶エリアに記憶されている電圧値ｅ１〜ｅｍの中で最大の電圧値ｅｍａｘを選択する。そして、ＣＰＵ８０ａは、電圧値ｅｍａｘを発生したセンスコイルＸ１〜Ｘｍのコイル番号ＸｍａｘをＲＡＭ８０ｃに記憶する。
【０１３９】
次に、ＣＰＵ８０ａは、電圧値ｅｍａｘを発生したセンスコイルＸ１〜Ｘｍの両隣のセンスコイルＸ１〜Ｘｍの電圧値ｅ１〜ｅｍのうちいずれか大きい方を決定する。そして、ＣＰＵ８０ａは、決定された電圧値ｅ１〜ｅｍを発生したセンスコイルＸ１〜Ｘｍのコイル番号を、コイル番号Ｘｍａｘ２としてＲＡＭ８０ｃに記憶する。例えば、電圧値ｅｍａｘがセンスコイルＸ２によって発生されていた場合、ＣＰＵ８０ａは、その両隣のセンスコイルＸ１の電圧値ｅ１及びセンスコイルＸ３の電圧値ｅ３を比較し、大きい電圧値ｅ１又は電圧値ｅ３を決定する。そして、ＣＰＵ８０ａは、決定された電圧値ｅ１を発生したセンスコイルＸ１のコイル番号又は電圧値ｅ３を発生したセンスコイルＸ３のコイル番号を、コイル番号Ｘｍａｘ２としてＲＡＭ８０ｃに記憶する。
【０１４０】
その後、ＣＰＵ８０ａは、ＲＡＭ８０ｃに記憶されたコイル番号ｍａｘ及びコイル番号ｍａｘ２を比較して、コイル番号ｍａｘ２はコイル番号ｍａｘからｘ軸の＋方向又は−方向のどちらに存在しているかを判定する。なお、ｘ軸の＋方向とは図４のｘ軸を示す矢印の方向であり、ｘ軸の−方向とはその逆の方向である。判定の結果、コイル番号Ｘｍａｘ２がコイル番号Ｘｍａｘに対して＋方向である場合、ＣＰＵ８０ａは、変数ＳＩＤＥを１に設定する。一方、コイル番号Ｘｍａｘ２がコイル番号Ｘｍａｘに対して−方向である場合、ＣＰＵ８０ａは、変数ＳＩＤＥを−１に設定する。例えば、電圧値ｅｍａｘがセンスコイルＸ２で発生され、コイル番号ＸｍａｘとしてセンスコイルＸ２を示すコイル番号がＲＡＭ８０ｃに記憶され、センスコイルＸ３のコイル番号がコイル番号Ｘｍａｘ２として記憶されていた場合、ＣＰＵ８０ａは、変数ＳＩＤＥを１に設定する。一方、電圧値ｅｍａｘがセンスコイルＸ２で発生され、コイル番号ＸｍａｘとしてセンスコイルＸ２を示すコイル番号がＲＡＭ８０ｃに記憶され、センスコイルＸ１のコイル番号がコイル番号Ｘｍａｘ２として記憶されていた場合、ＣＰＵ８０ａは、変数ＳＩＤＥを−１に設定する。
【０１４１】
そして、変数ＳＩＤＥを設定したＣＰＵ８０ａは、下記（式１）により、変数ＤＩＦＦを算出する。
ＤＩＦＦ＝ｅ（ｍａｘ）−ｅ（ｍａｘ２）・・・（式１）
ＣＰＵ８０ａは、算出されたＤＩＦＦに最も近い位置座標を、ＲＯＭ８０ｂに予め記憶されている前述の位置座標テーブル（図１４（ｂ）参照）から読み出す。そして、ＣＰＵ８０ａは、位置座標テーブルから読み出した位置座標を、変数ＯＦＦＳＥＴとする。
【０１４２】
その後、ＣＰＵ８０ａは、上記のようにして算出された変数ＳＩＤＥ及び変数ＯＦＦＳＥＴを用いて、下記（式２）により、電子ペン２のｘ軸方向の位置を示すｘ座標を求める。
Ｘ１＝（Ｐ１／２）×ｍａｘ＋ＯＦＦＳＥＴ×ＳＩＤＥ・・・（式２）
ここで、（Ｐ１／２）×ｍａｘは、コイル番号ｍａｘの中心のｘ座標を示す。
【０１４３】
なお、以上はｘ軸方向のセンスコイルＸ１〜Ｘｍでの磁気誘導に基づく信号Ｓ１４に基づく電子ペン２のｘ座標の算出を例に説明した。電子ペン２のｙ座標についても、センスコイルＹ１〜Ｙｎでの磁気誘導に基づく信号Ｓ１４により、同様の手法により算出される。
【０１４４】
以上説明したように、ステップＳＳ７０では、上記（１）（２）の手法により電子ペン２の座標データ（ｘｉ，ｙｉ）が取得すなわち算出される。なお、上記ステップＳＳ４０及びステップＳＳ７０が、各請求項記載の位置取得手段として機能する。このようにしてステップＳＳ７０が終了した後、ステップＳＳ８０に移る。
【０１４５】
ステップＳＳ８０では、ＣＰＵ８０ａは、上記ステップＳＳ４０での電子ペン２から発生された磁界とセンスコイル部１１０のいずれかのセンスコイルＸ１〜Ｘｍ，Ｙ１〜Ｙｎとの磁気誘導を契機に、マイコン８０のカウンタ８０ｄに入力された信号Ｓ１２（図２参照）の周波数を検出する。これは実質的に、センスコイル部１１０のセンスコイルＸ１〜Ｘｍ，Ｙ１〜Ｙｎと磁気誘導された磁界の周波数を検出することに相当する。すなわち、このステップは、各請求項記載の周波数検出手段として機能する。
【０１４６】
そして、ステップＳＳ９０において、ＣＰＵ８０ａは、上記ステップＳＳ８０で検出された周波数と、入力周波数ｆ２又はｆ４との比較により、電子ペン２のモードが文字入力モードであるかどうかを判定する。これは実質的に、電子ペン２のモードを判定することに相当する。すなわち、このステップは、各請求項記載のモード判定手段として機能する。上記ステップＳＳ８０で検出された周波数がｆ２であった場合には、電子ペン２のモードが文字入力モードであるとみなされ、ステップＳＳ９０の判定が満たされて、ステップＳＳ１００に移る。
【０１４７】
ステップＳＳ１００では、ＣＰＵ８０ａは、上記ステップＳＳ７０で算出された電子ペン２の座標データ（ｘｉ，ｙｉ）を用いて、ペン位置データ列Ａを生成する。座標データの個数を表す変数ｉが０である場合、すなわち最初のデータである場合には、ステップＳＳ７０で算出した座標データ（ｘｉ，ｙｉ）をペン位置データ列Ａの最初のデータとする。変数ｉが０でない場合には、ＣＰＵ８０ａは、既に生成されているペン位置データ列Ａの最後に、ステップＳＳ７０で算出した座標データ（ｘｉ，ｙｉ）を追加する。その後、後述のステップＳＳ１２０に移る。なお、このステップを繰り返して実行することによって、センスコイル部１１０のセンスコイルＸ１〜Ｘｍ，Ｙ１〜Ｙｎでの連続的な筆記信号の受信すなわち磁界との磁気誘導に基づき上記ステップＳＳ７０で連続的に算出された１ストローク分の複数の座標データ（ｘｉ，ｙｉ）を用いて、当該複数の座標データ（ｘｉ，ｙｉ）を含むペン位置データ列Ａを生成する。このように、連続的な複数の座標データ（ｘｉ，ｙｉ）からなるペン位置データ列Ａを生成することにより、結果的に、電子ペン２が筆記面３１に記載した文字列ＣＨに対応した文字列データ、すなわち当該ペン位置データ列Ａに基づくストロークデータを生成することができる。すなわち、このステップは、各請求項記載の文字列データ生成手段として機能する。
【０１４８】
一方、ステップＳＳ９０において、上記ステップＳＳ８０で検出された周波数がｆ４であった場合には、電子ペン２のキーワード設定モード又はチェック・マークモードであるとみなされ、ステップＳＳ９０の判定が満たされず、ステップＳＳ１１０に移る。
【０１４９】
ステップＳＳ１１０では、ＣＰＵ８０ａは、上記ステップＳＳ７０で算出された電子ペン２の座標データ（ｘｉ，ｙｉ）を用いて、上記ペン位置データ列Ａとは別のペン位置データ列Ｂを生成する。座標データの個数を表す変数ｉが０である場合、すなわち最初のデータである場合には、ステップＳＳ７０で算出した座標データ（ｘｉ，ｙｉ）をペン位置データ列Ｂの最初のデータとする。変数ｉが０でない場合には、ＣＰＵ８０ａは、既に生成されているペン位置データ列Ｂの最後に、ステップＳＳ７０で算出した座標データ（ｘｉ，ｙｉ）を追加する。その後、ステップＳＳ１２０に移る。なお、このステップを繰り返して実行することによって、センスコイル部１１０のセンスコイルＸ１〜Ｘｍ，Ｙ１〜Ｙｎでの間欠的な磁界との磁気誘導に基づき上記ステップＳＳ７０で離散的に算出された１ストローク分の少なくとも１つの座標データ（ｘｉ，ｙｉ）を用いて、当該少なくとも１つの座標データ（ｘｉ，ｙｉ）を含むペン位置データ列Ｂを生成する。
【０１５０】
ステップＳＳ１２０では、ＣＰＵ８０ａは、使用者によりページ送り操作がなされたかどうかを判定する。すなわち、使用者は、例えばノート３０の左筆記面３１において左上から右下まで記載が終了した場合、次のページである右筆記面３１での記載を開始する。このことを記録端末３が認識できるように、記録端末３の適宜の箇所に、図示しないページ送り操作手段が設けられている。上記のように使用者が記載を次のページへと移行する場合に、このページ送り操作手段を操作することによって対応する操作信号がマイコン８０に入力される。この操作信号に基づき、ＣＰＵ８０ａは、前述した電子ファイルのページを次のページに切り替える。したがって、このステップＳＳ１２０では、ＣＰＵ８０ａは、使用者により上記ページ送り操作手段の操作がなされたかどうかを判定する。なお、このような使用者の手動操作による電子ファイルのページ切り替えではなく、適宜の自動制御により電子ファイルのページ切り替えがなされる場合には、このステップＳＳ１２０では、ＣＰＵ８０ａが、上記自動制御によるページ切り替えがなされたかどうかを判定すればよい。使用者によるページ切り替え操作がなされない間はステップＳＳ１２０の判定が満たされず、ステップＳＳ４０に戻り同様の手順を繰り返す。一方、使用者によるページ切り替え操作がなされた場合は、ステップＳＳ１２０の判定が満たされて、ステップＳＳ１３０に移る。
【０１５１】
ステップＳＳ１３０では、ＣＰＵ８０ａは、上記ステップＳＳ１００で生成されたペン位置データ列Ａに対し、上記ステップＳＳ１１０で生成されたペン位置データ列Ｂを関連付けて、すなわち１ページ分のペン位置データ列Ａとペン位置データ列Ｂとを合成して、フラッシュメモリ７２に保存する。その後、ステップＳＳ４０に戻り同様の手順を繰り返す。
【０１５２】
次に、図８（ａ）〜図８（ｄ）及び図９（ａ）〜図９（ｄ）等で説明したようなキーワードの抽出手法の機能を実現するために、記録端末３のマイコン８０のＣＰＵ８０ａによって行われる制御処理の内容を、図１５により説明する。
【０１５３】
図１５において、この処理は、例えば通信インターフェース７４を介し外部装置が接続されて、当該外部端末に保存された所定のアプリケーションが起動された場合に開始される。まず、ＣＰＵ８０ａは、ステップＳＳ２００で、フラッシュメモリ７２にペン位置データ列Ｂが保存されているかどうかを判定する。ペン位置データ列Ｂが保存されていない場合には、ステップＳＳ２００の判定が満たされず、このフローを終了する。一方、ペン位置データ列Ｂが保存されていた場合には、ステップＳＳ２００の判定が満たされて、ステップＳＳ２１０に移る。
【０１５４】
ステップＳＳ２１０では、ＣＰＵ８０ａは、フラッシュメモリ７２に保存されたペン位置データ列Ｂに含まれる離散的な座標データ（ｘｉ，ｙｉ）を用いて、電子ペン２が筆記面３１に記載した文字列以外のデータ、この例では線分ＵＬに対応した線分データ、すなわち当該ペン位置データ列Ｂに基づくストロークデータを生成する。
【０１５５】
その後、ステップＳＳ２２０で、ＣＰＵ８０ａは、フラッシュメモリ７２に保存されたペン位置データ列Ａに基づく文字列データのうち、上記ステップＳＳ２１０で生成された線分データで電子ファイル上に表される、線分ＵＬｊの所定の範囲に含まれる、電子ファイル上の文字列ＣＨｉに対応した文字列データをキーワードとして抽出する。具体的には、図８（ａ）〜図８（ｄ）及び図９（ａ）〜図９（ｄ）を用いて説明したように、ｄｉ＜Ｈｉ、かつＷｉ＞Ｌｉ／２となる文字からなる文字列に対応した文字列データをキーワードとして抽出する。このステップが、各請求項記載の文字列データ抽出手段として機能する。
【０１５６】
そして、ステップＳＳ２３０で、ＣＰＵ８０ａは、上記ステップＳＳ２２０でキーワードとして抽出された文字列データを、公知の適宜の手法を用いて文字認識する。そして、文字認識した文字列を管理タグとしてイメージデータに関連付けて、フラッシュメモリ７２に保存する。その後、このフローを終了する。
【０１５７】
次に、図１０（ａ）〜図１０（ｃ）等で説明したような筆記面３１上で選択されたチェックボックスＣｂを選択する機能を実現するために、記録端末３のマイコン８０のＣＰＵ８０ａによって行われる制御処理の内容を、図１６により説明する。
【０１５８】
図１６において、この処理は、例えば通信インターフェース７４を介し外部装置が接続されて、当該外部端末に保存された所定のアプリケーションが起動された場合に開始される。まず、ＣＰＵ８０ａは、ステップＳＳ３００で、フラッシュメモリ７２にペン位置データ列Ｂが保存されているかどうかを判定する。ペン位置データ列Ｂが保存されていない場合には、ステップＳＳ３００の判定が満たされず、このフローを終了する。一方、ペン位置データ列Ｂが保存されていた場合には、ステップＳＳ３００の判定が満たされて、ステップＳＳ３１０に移る。
【０１５９】
ステップＳＳ３１０では、ＣＰＵ８０ａは、フラッシュメモリ７２に保存されたペン位置データ列Ｂに含まれる離散的な座標データ（ｘｉ，ｙｉ）を用いて、電子ペン２が筆記面３１に記載した文字列以外のデータ、この例ではチェック線Ｃｓに対応したチェック線データ、すなわち当該ペン位置データ列Ｂに基づくストロークデータを生成する。
【０１６０】
その後、ステップＳＳ３２０で、ＣＰＵ８０ａは、電子ファイル上の複数のチェックボックスＣｂのうち、上記ステップＳＳ２１０で生成された線分データで電子ファイル上に表される線分Ｌｊと最も近い位置に存在するチェックボックスＣｂを、筆記面３１上で選択されたチェックボックスＣｂとして選択する。
具体的には、図１０（ｃ）を用いて説明したように、電子ファイル上の各チェックボックスＣｂについて、線分Ｌｊと、電子ファイル上のチェックボックスＣｂの中心点ｃｐとの最小距離ｄｍを算出する。そして、その算出した最小距離ｄｍが最も小さいチェックボックスＣｂを、筆記面３１上で選択されたチェックボックスＣｂとして選択する。その後、このフローを終了する。
【０１６１】
なお、上記において、図１５に示すステップＳＳ２１０、及び、図１６に示すステップＳＳ３１０が、各請求項記載の非文字列データ生成手段として機能し、そのうちステップＳ２１０は、線分データ生成手段としても機能する。
【０１６２】
以上説明したように、本実施形態においては、使用者がノート３０の筆記面３１へ所定の態様で記載する場合、上記の例では文字を記載する場合、使用者は電子ペン２のモード切替スイッチ４４を用いて文字入力モードに切り替える。この文字入力モードへの切替状態が上記図１１のステップＳＰ２０で判定され、マイコン４０の制御に基づき、ＬＣ発振回路４１が磁界を記録端末３へ上記連続的に発生する。記録端末３は、電子ペン２から連続的に発生される磁界によって電子ペン２の位置を検出し、電子ペン２の移動軌跡により使用者が筆記面３１に記載した文字を認識する。
【０１６３】
一方、使用者が筆記面３１に対し上記文字入力モードとは異なる態様で記号の記載を行う場合、上記の例では文字以外の記載を行う場合、使用者は電子ペン２のモード切替スイッチ４４を用いてキーワード設定モード又はチェック・マークモードに切り替える。このキーワード設定モード又はチェック・マークモードへの切替状態が上記図１１のステップＳＰ２０で判定され、マイコン４０の制御に基づき、ＬＣ発振回路４１が磁界を記録端末３へ上記文字入力モードにおける磁界の発生間隔より長い間隔で間欠的に発生する。記録端末３は、上記同様、電子ペン２から上記間欠的に発生される磁界によって電子ペン２の位置を検出し、筆記面３１への記載内容を認識する。
【０１６４】
以上のように、本実施形態においては、電子ペン２が、磁界の発生間隔の異なる文字入力モードとキーワード設定モード又はチェック・マークモードとを使い分け、磁界の発生を行う。これにより、上記文字入力モードにおける磁界の発生間隔より長い間隔で間欠的に磁界の発生を行うキーワード設定モード及びチェック・マークモードでは、記号の入力、上記の例では文字以外の入力の際に、電子ペン２が消費する電力を低減することができる。この結果、省エネルギを図ることができる。
【０１６５】
ここで、一般に、文字入力の機能と文字入力以外の機能とを備える電子ペンでは、文字入力の場合には、記録端末側での検出精度を低下させると、実用上問題を生じる可能性が高いが、文字以外の入力の場合には、文字入力の場合に比べて記録端末側での検出精度を低下させても実用上問題がない場合が多い。そこで本実施形態では特に、電子ペン２が、筆記面３１へ文字を記載する場合に対応した文字入力モードと、筆記面３１に文字以外の記載を行う場合に対応したキーワード設定モード及びチェック・マークモードとを備えている。
【０１６６】
文字入力モードでは、ＬＣ発振回路４１が周波数ｆ１又はｆ２の磁界を記録端末３へ連続的に発生する。上記連続的に発生される磁界は、記録端末３のセンスコイル部１１０で磁気誘導される。そして、当該磁界の周波数が検出され、電子ペン２のモードが文字入力モードであると判定される。この場合、使用者の筆記動作により記録端末３側で電子ペン２の複数の座標データが連続的に算出される。そして、当該複数の座標データに基づき、筆記面３１に記載された文字列ＣＨに対応した文字列データが生成される。これにより、記録端末３は、使用者が筆記面３１に記載した文字を認識することができる。
【０１６７】
一方、キーワード設定モード又はチェック・マークモードでは、マイコン４０の制御に基づき、ＬＣ発振回路４１が周波数ｆ３又はｆ４の磁界を記録端末３へ間欠的に発生する。上記文字入力モードにおける磁界の発生間隔より長い間隔で間欠的に発生される磁界は、上記同様、記録端末３のセンスコイル部１１０で磁気誘導される。そして、当該磁界の周波数が検出され、電子ペン２のモードがキーワード設定モード又はチェック・マークモードであると判定される。この場合、使用者の筆記動作により記録端末３側で電子ペン２の少なくとも１つの座標データが離散的に算出される。そして、当該少なくとも１つの座標データに基づき、筆記面３１に記載された文字列以外に対応した文字列以外のデータが生成される。これにより、記録端末３は、筆記面３１への記載内容を認識することができる。
【０１６８】
以上のように、電子ペン２は、キーワード設定モード又はチェック・マークモードでは、周波数ｆ３又はｆ４の磁界の発生を、上記文字入力モードにおける磁界の発生間隔より時間的に間引いて間欠的に行う。これにより、文字入力の際の記録端末３側における文字の認識精度を落とすことなく、文字以外の入力の際に電子ペン２が消費する電力を低減し、省エネルギを図ることができる。
【０１６９】
また、本実施形態では特に、上記図１１のステップＳＰ１００で、筆記面３１に対する電子ペン２の先端部２ａの接触の変化を検出する。そして、先端部２ａの接触の変化が検出されたら当該検出されたタイミングで、記録端末３に対し、ＬＣ発振回路４１が磁界を発生する。
【０１７０】
これにより、筆記面３１への記載に対応した磁界を、確実に記録端末３に発生することができるので、記録端末３は、漏れのない確実な検出を行うことができる。
【０１７１】
また、本実施形態では特に、電子ペン２は、キーワード設定モード、及び、チェック・マークモードを備えている。そして、モード切替スイッチ４４により、キーワード設定モード、及び、チェック・マークモードのいずれが選択されたかに応じて、磁界の発生間隔を変化させる。
【０１７２】
これにより、使用者がキーワード設定モード又はチェック・マークモードを選択して文字以外の記載が行われる場合に、用途に応じてきめの細かい磁界の発生制御を行い、電子ペン２の消費電力の低減を図ることができる。この結果、さらに確実に省エネルギを図ることができる。
【０１７３】
また、本実施形態では特に、電子ペン２のＬＣ発振回路４１は、周波数ｆ３又はｆ４の磁界を、記録端末３における上記スキャン周期Ｔよりも長い発生時間ｔ２の間発生する。これにより、電子ペン２が周波数ｆ３又はｆ４の磁界を発生している間において、記録端末３側では、当該磁界と磁気誘導を行っているセンスコイル部１１０のセンスコイルＸ１〜Ｘｍ，Ｙ１〜Ｙｎが少なくとも１回選択されるので、当該磁界に起因する上記信号Ｓ１４（図２参照）が確実にマイコン８０で取得される。
【０１７４】
また、本実施形態では特に、使用者が電子ペン２においてキーワード設定モードを選択して文字以外の入力を行うことで、記録端末３側で上記離散的に算出される電子ペン２の少なくとも１つの座標データに基づき、筆記面３１に記載された線分ＵＬに対応した線分データが生成される。そして、このようにして、使用者のキーワード設定モードの選択に対応して線分データが生成されると、電子ファイル上の線分ＵＬｊの所定の範囲に含まれる文字列ＣＨｉに対応した文字列データが抽出される。
【０１７５】
これにより、使用者は、文字入力モードを選択して筆記面３１に文字列ＣＨを記載した後、キーワード設定モードを選択してその記載した文字列ＣＨの近傍に線分ＵＬを記載することで、当該文字列ＣＨに対応した文字列データがキーワードとして抽出される。したがって、このキーワードを、文字列データを含むファイルの管理タグとして用いることができる。
【０１７６】
また、上記のようにキーワードとして抽出されることなく文字列ＣＨの近傍に線分を記載したい場合は、使用者は文字入力モードを選択したままの状態で線分を記載すればよい。したがって、使用者は、単に視覚的な効果として文字列ＣＨの近傍に線分を記載する場合と、キーワードとして抽出するために文字列ＣＨの近傍に線分ＵＬを記載する場合とを、電子ペン２のモード切替スイッチ４４によるモード選択操作によって使い分けることができる。この結果、使用者の意図に沿った適切なキーワード抽出を行うことができ、高い利便性を得ることができる。
【０１７７】
なお、電子ペン２の電池４３の電圧を検出して、その検出される電圧値に応じて、マイコン４０が上記磁界の発生間隔を変化させるよう、ＬＣ発振回路４１を制御するようにしてもよい。これにより、使用者がキーワード設定モード又はチェック・マークモードを選択して文字以外の記載が行われる場合に、電池残量に応じてきめの細かい磁界の発生制御を行い消費電力の低減を図ることができる。この結果、さらに確実に省エネルギを図ることができる。
【０１７８】
また、電子ペン２のモードがキーワード設定モード又はチェック・マークモードである場合には、記録端末３側で、電子ペン２の位置の演算を低精度で行うようにしてもよい。あるいは、電子ペン２のモードがキーワード設定モード又はチェック・マークモードである場合には、センスコイル部１１０のスキャン速度を早くするようにしてもよい。
【０１７９】
また、以上においては、記録端末３のセンスコイル部１１０が電磁波を電子ペン２と送受する非接触方式によって、電子ペン２の座標データを取得したが、これに限られない。すなわち、上記以外の方式、例えば、ペンを用いてタブレットシート上にて所望の文字列の筆記動作を行ったときのペンの動きがタブレットシートにより検出される、接触方式によってペンの座標データを取得してもよい。
【０１８０】
なお、以上において、図２中に示す矢印は信号の流れの一例を示すものであり、信号の流れ方向を限定するものではない。
【０１８１】
また、図１１、図１２、図１５、及び図１６に示すフローチャートは本発明を上記フローに示す手順に限定するものではなく、発明の趣旨及び技術的思想を逸脱しない範囲内で手順の追加・削除又は順番の変更等をしてもよい。
【０１８２】
また、以上既に述べた以外にも、上記実施形態や各変形例による手法を適宜組み合わせて利用しても良い。
【０１８３】
その他、一々例示はしないが、本発明は、その趣旨を逸脱しない範囲内において、種々の変更が加えられて実施されるものである。
【符号の説明】
【０１８４】
１                        電子筆記システム
２                        電子ペン（電子筆記具）
２ａ                      先端部
３                        記録端末
３０                      ノート（被筆記体）
３１                      筆記面
４０                      マイコン（送信制御手段）
４１，４１ａ〜ｄ          ＬＣ発振回路（信号送信手段）
４２                      先端スイッチ
４４                      モード切替スイッチ（操作手段）
６２                      ＭＵＸ（切替接続手段）
８０                      マイコン（演算手段）
Ｘ１〜Ｘｍ，Ｙ１〜Ｙｎ    センスコイル（コイル）
【図１】
0005533273.tif 000002
【図２】
0005533273.tif 000003
【図３】
0005533273.tif 000004
【図４】
0005533273.tif 000005
【図５】
0005533273.tif 000006
【図６】
0005533273.tif 000007
【図７】
0005533273.tif 000008
【図８】
0005533273.tif 000009
【図９】
0005533273.tif 000010
【図１０】
0005533273.tif 000011
【図１１】
0005533273.tif 000012
【図１２】
0005533273.tif 000013
【図１３】
0005533273.tif 000014
【図１４】
0005533273.tif 000015
【図１５】
0005533273.tif 000016
【図１６】
0005533273.tif 000017